(57)【特許請求の範囲】
【請求項１】
方法であって、
ネットワーク構成に少なくとも部分的に基づいて、複数のオーバヘッド・メッセージのうちの１つで、１または複数のセルに関連するプライマリ・スクランブリング符号（ＰＳＣ）スプリット情報を受信すること、前記ＰＳＣスプリット情報は、ある周波数で動作するクローズされた加入者グループ（ＣＳＧ）セルに割り当てられたＰＳＣのリストまたは範囲の少なくとも一方と、前記ＣＳＧセルの専用周波数情報を含む、と、
ここで、前記ＰＳＣスプリット情報は、マクロ・セル・アクセス・ポイントとフェムト・セル・アクセス・ポイントとの両方が前記ネットワーク構成において前記ＰＳＣスプリット情報をブロードキャストする場合に、低優先度の、低頻度で送信されたオーバヘッド・メッセージ内で、または、前記フェムト・セル・アクセス・ポイントのみが前記ＰＳＣスプリット情報を送信するか、または、前記マクロ・セル・アクセス・ポイントのサブセットのみが前記ＰＳＣスプリット情報を送信する場合に、高優先度の、高頻度で送信されたオーバヘッド・メッセージ内で、受信され、
前記１または複数のセルのうちの少なくとも１つからの、受信されたブロードキャスト信号に少なくとも部分的に基づいて、前記１または複数のセルのうちの少なくとも１つを識別するために、前記ＰＳＣスプリット情報を利用することと、
を備える方法。
【請求項２】
前記ＰＳＣスプリット情報を受信することは、セル選択／再選択に関連するパラメータを含むオーバヘッド・メッセージで、前記ＰＳＣスプリット情報を受信することを含む請求項１に記載の方法。
【請求項３】
前記高優先度の、高頻度で送信されたオーバヘッド・ヘッドメッセージで前記ＰＳＣスプリット情報を受信することは、ターゲット・ノードＢからのシステム情報ブロック３（ＳＩＢ３）で前記ＰＳＣスプリット情報を受信することを含む請求項１に記載の方法。
【請求項４】
前記オーバヘッド・メッセージで、クローズされた加入者グループ（ＣＳＧ）識別子を
受信することをさらに備える請求項２に記載の方法。
【請求項５】
セル選択／再選択が、前記オーバヘッド・メッセージを送信しているターゲット・ノードＢに許可されているかを、前記ＣＳＧ識別子を、セル識別子の格納されたホワイト・リストと比較することに少なくとも部分的に基づいて判定することをさらに備える請求項４に記載の方法。
【請求項６】
前記セル識別子の格納されたホワイト・リストが空であるかに少なくとも部分的に基づいて、前記ＰＳＣスプリット情報を、回避または利用するセルに関連するものとして格納することをさらに備える請求項５に記載の方法。
【請求項７】
前記低優先度の、低頻度で送信されたオーバヘッド・メッセージで前記ＰＳＣスプリット情報を受信することは、ソース・ノードＢからのシステム情報ブロック１１ｂｉｓ（ＳＩＢ１１ｂｉｓ）で前記ＰＳＣスプリット情報を受信することを含む請求項８に記載の方法。
【請求項８】
前記ＰＳＣスプリット情報が受信されたセルから、近隣セルに関連する複数のＰＳＣを備える近隣リストを受信することをさらに備える請求項１に記載の方法。
【請求項９】
前記ＰＳＣスプリット情報に存在しない前記近隣リスト内に、ＰＳＣを、マクロ・セルに関連するものとして格納することをさらに備える請求項８に記載の方法。
【請求項１０】
前記ＰＳＣスプリット情報は、前記ＰＳＣスプリット情報が受信されたノードＢによって実現されるセルと同様の周波数で動作する同様のタイプのセルに対応するＰＳＣの範囲に関連している請求項１に記載の方法。
【請求項１１】
前記ＰＳＣスプリット情報は、前記ＰＳＣスプリット情報が受信されたノードＢによって実現されるセルと同様の周波数で動作する同様のタイプのセルに対応するＰＳＣのリストに関連している請求項１に記載の方法。
【請求項１２】
無線通信装置であって、
ネットワーク構成に少なくとも部分的に基づいて、複数のオーバヘッド情報のうちの１つで、１または複数のセルに関連するプライマリ・スクランブリング符号（ＰＳＣ）スプリット情報を取得し、前記ＰＳＣスプリット情報は、ある周波数で動作するクローズされた加入者グループ（ＣＳＧ）セルに割り当てられたＰＳＣのリストまたは範囲の少なくとも一方と、前記ＣＳＧセルの専用周波数情報を含み、
ここで、前記ＰＳＣスプリット情報は、マクロ・セル・アクセス・ポイントとフェムト・セル・アクセス・ポイントとの両方が前記ネットワーク構成において前記ＰＳＣスプリット情報をブロードキャストする場合に、低優先度の、低頻度で送信されたオーバヘッド・メッセージ内で、または、前記フェムト・セル・アクセス・ポイントのみが前記ＰＳＣスプリット情報を送信するか、または、前記マクロ・セル・アクセス・ポイントのサブセットのみが前記ＰＳＣスプリット情報を送信する場合に、高優先度の、高頻度で送信されたオーバヘッド・メッセージ内で、受信され、
その後のセル識別を回避または利用するセルを示す前記ＰＳＣスプリット情報を格納するように構成された少なくとも１つのプロセッサと、
前記少なくとも１つのプロセッサに接続されたメモリと、
を備える無線通信装置。
【請求項１３】
前記複数のオーバヘッド・メッセージのうちの１つは、セル選択／再選択パラメータを備える請求項１２に記載の無線通信装置。
【請求項１４】
前記高優先度の、高頻度で送信されたオーバヘッド・メッセージは、システム情報ブロック３（ＳＩＢ３）メッセージである請求項１２に記載の無線通信装置。
【請求項１５】
前記少なくとも１つのプロセッサはさらに、前記複数のオーバヘッド・メッセージのうちの１つで受信された、クローズされた加入者グループ（ＣＳＧ）識別子を取得するように構成された請求項１３に記載の無線通信装置。
【請求項１６】
前記少なくとも１つのプロセッサはさらに、前記複数のオーバヘッド・メッセージのうちの１つが受信されたノードＢに対するアクセスが許可されているかを、前記クローズされた加入者グループ（ＣＳＧ）識別子が、ＣＳＧセルの格納されたホワイト・リスト内に存在するかに少なくとも部分的に基づいて判定するように構成された請求項１３に記載の無線通信装置。
【請求項１７】
前記少なくとも１つのプロセッサは、前記ＣＧＳセルの格納されたホワイト・リストが空であるかに基づいて、その後のセル識別において利用または回避するセルを示すために前記ＰＳＣスプリット情報を格納する請求項１６に記載の無線通信装置。
【請求項１８】
前記低優先度の、低頻度で送信されたオーバヘッド・メッセージは、システム情報ブロック１１ｂｉｓ（ＳＩＢ１１ｂｉｓ）メッセージである請求項１２に記載の無線通信装置。
【請求項１９】
前記少なくとも１つのプロセッサはさらに、前記複数のオーバヘッド・メッセージのうちの１つが受信されたノードＢから、近隣のノードＢに関連する複数のＰＳＣを備える近隣リストを受信するように構成された請求項１２に記載の無線通信装置。
【請求項２０】
前記少なくとも１つのプロセッサはさらに、前記近隣リストからのＰＳＣを、マクロ・セルに関連するものとして格納するように構成され、前記近隣リストからのＰＳＣは、前記ＰＳＣスプリット情報に存在しない請求項１９に記載の無線通信装置。
【請求項２１】
前記ＰＳＣスプリット情報は、前記複数のオーバヘッド・メッセージのうちの１つが受信されたノードＢによって実現されるセルと同様の周波数で動作する同様のタイプのセルに対応するＰＳＣの範囲に関連している請求項１２に記載の無線通信装置。
【請求項２２】
装置であって、
１または複数のセルに関連するプライマリ・スクランブリング符号（ＰＳＣ）スプリット情報を備えるオーバヘッド・メッセージを受信する手段であって、前記ＰＳＣスプリット情報が受信される前記オーバヘッド・メッセージは、ネットワーク構成に少なくとも部分的に基づく、手段、前記ＰＳＣスプリット情報は、ある周波数で動作するクローズされた加入者グループ（ＣＳＧ）セルに割り当てられたＰＳＣのリストまたは範囲の少なくとも一方と、前記ＣＳＧセルの専用周波数情報を含む、と、
ここで、前記ＰＳＣスプリット情報は、マクロ・セル・アクセス・ポイントとフェムト・セル・アクセス・ポイントとの両方が前記ネットワーク構成において前記ＰＳＣスプリット情報をブロードキャストする場合に、低優先度の、低頻度で送信されたオーバヘッド・メッセージ内で、または、前記フェムト・セル・アクセス・ポイントのみが前記ＰＳＣスプリット情報を送信するか、または、前記マクロ・セル・アクセス・ポイントのサブセットのみが前記ＰＳＣスプリット情報を送信する場合に、高優先度の、高頻度で送信されたオーバヘッド・メッセージ内で、受信され、
前記オーバヘッド・メッセージから前記ＰＳＣスプリット情報を判定する手段と、
その後のセル探索を利用または回避するセルを示す前記ＰＳＣスプリット情報を格納する手段と、
を備える装置。
【請求項２３】
前記オーバヘッド・メッセージは、セル選択／再選択パラメータを備える請求項２２に記載の装置。
【請求項２４】
前記高優先度の、高頻度で送信されたオーバヘッド・メッセージは、システム情報ブロック３（ＳＩＢ３）メッセージである請求項２２に記載の装置。
【請求項２５】
前記オーバヘッド・メッセージで、クローズされた加入者グループ（ＣＳＧ）識別子を取得する手段をさらに備える請求項２２に記載の装置。
【請求項２６】
前記受信する手段が、前記オーバヘッド・メッセージが受信されたノードＢに対するアクセスが許可されているかを、前記ＣＳＧ識別子が、ＣＳＧセルのホワイト・リストに存在するかに少なくとも部分的に基づいて判定する手段をさらに備える請求項２５に記載の装置。
【請求項２７】
前記ＰＳＣスプリット情報を格納する手段は、前記ＣＳＧセルのホワイト・リストが空であるかに少なくとも部分的に基づいて、利用または回避するセルを示す前記ＰＳＣスプリット情報を格納する請求項２６に記載の装置。
【請求項２８】
前記低優先度の、低頻度で送信されたオーバヘッド・メッセージは、システム情報ブロック１１ｂｉｓ（ＳＩＢ１１ｂｉｓ）メッセージである請求項２２に記載の装置。
【請求項２９】
前記オーバヘッド・メッセージを受信する手段は、前記受信する手段によってオーバヘッド・メッセージが受信されたノードＢから、近隣ノードＢのＰＳＣを備える近隣リストを受信する請求項２２に記載の装置。
【請求項３０】
前記ＰＳＣスプリット情報を格納する手段は、前記近隣リストに存在するが、前記ＰＳＣスプリット情報に存在しないＰＳＣを、マクロ・セル・ノードＢに関連するものとして格納する請求項２９に記載の装置。
【請求項３１】
前記ＰＳＣスプリット情報は、前記受信する手段によってオーバヘッド・メッセージが受信されたノードＢによって実現されるセルと同様の周波数で動作する同様のタイプのセルに対応するＰＳＣの範囲に関連している請求項２２に記載の装置。
【請求項３２】
非一時的コンピュータ読取可能媒体であって、
前記コンピュータ読取可能媒体は、
少なくとも１つのコンピュータに対して、ネットワーク構成に少なくとも部分的に基づいて、複数のオーバヘッド・メッセージのうちの１つで、１または複数のセルに関連するプライマリ・スクランブリング符号（ＰＳＣ）スプリット情報を受信させるためのコード、前記ＰＳＣスプリット情報は、ある周波数で動作するクローズされた加入者グループ（ＣＳＧ）セルに割り当てられたＰＳＣのリストまたは範囲の少なくとも一方と、前記ＣＳＧセルの専用周波数情報を含む、と、
ここで、前記ＰＳＣスプリット情報は、マクロ・セル・アクセス・ポイントとフェムト・セル・アクセス・ポイントとの両方が前記ネットワーク構成において前記ＰＳＣスプリット情報をブロードキャストする場合に、低優先度の、低頻度で送信されたオーバヘッド・メッセージ内で、または、前記フェムト・セル・アクセス・ポイントのみが前記ＰＳＣスプリット情報を送信するか、または、前記マクロ・セル・アクセス・ポイントのサブセットのみが前記ＰＳＣスプリット情報を送信する場合に、高優先度の、高頻度で送信されたオーバヘッド・メッセージ内で、受信され、
前記少なくとも１つのコンピュータに対して、前記１または複数のセルのうちの少なくとも１つから受信したブロードキャスト信号に少なくとも部分的に基づいて、前記１または複数のセルのうちの少なくとも１つを識別するために前記ＰＳＣスプリット情報を利用させるためのコードと、
を備える非一時的コンピュータ読取可能媒体。
【請求項３３】
前記少なくとも１つのコンピュータに対して、前記ＰＳＣスプリット情報を受信させるためのコードは、セル選択／再選択に関連するパラメータを含むオーバヘッド・メッセージで前記ＰＳＣスプリット情報を受信する請求項３２に記載の非一時的コンピュータ読取可能媒体。
【請求項３４】
前記少なくとも１つのコンピュータに対して、前記高優先度の、高頻度で送信されたオーバヘッド・メッセージで前記ＰＳＣスプリット情報を受信させるためのコードは、ノードＢからのシステム情報ブロック３（ＳＩＢ３）メッセージで前記ＰＳＣスプリット情報を受信する請求項３２に記載の非一時的コンピュータ読取可能媒体。
【請求項３５】
前記非一時的コンピュータ読取可能媒体はさらに、前記少なくとも１つのコンピュータに対して、前記オーバヘッド・メッセージで、クローズされた加入者グループ（ＣＳＧ）識別子を受信させるためのコードを備える請求項３２に記載の非一時的コンピュータ読取可能媒体。
【請求項３６】
前記非一時的コンピュータ読取可能媒体はさらに、前記少なくとも１つのコンピュータに対して、前記オーバヘッド・メッセージを送信しているノードＢに、セル選択／再選択が許可されているかを、前記ＣＳＧ識別子を、セル識別子の格納されたホワイト・リストと比較することに少なくとも部分的に基づいて判定させるためのコードを備える請求項３５に記載の非一時的コンピュータ読取可能媒体。
【請求項３７】
前記非一時的コンピュータ読取可能媒体はさらに、前記少なくとも１つのコンピュータに対して、前記セル識別子の格納されたホワイト・リストが空であるかに少なくとも部分的に基づいて、回避または利用するセルに関連するものとして、前記ＰＳＣスプリット情報を格納させるためのコードを備える請求項３６に記載の非一時的コンピュータ読取可能媒体。
【請求項３８】
前記少なくとも１つのコンピュータに対して、前記ＰＳＣスプリット情報を受信させるためのコードは、前記マクロ・セル・アクセスポイントと前記フェムト・セル・アクセス・ポイントとの両方が前記ネットワーク構成において前記ＰＳＣスプリット情報をブロードキャストする場合に、ソース・ノードＢからのシステム情報ブロック１１ｂｉｓ（ＳＩＢ１１ｂｉｓ）で前記ＰＳＣスプリット情報を受信する請求項３２に記載の非一時的コンピュータ読取可能媒体。
【請求項３９】
前記非一時的コンピュータ読取可能媒体はさらに、前記少なくとも１つのコンピュータに対して、近隣ノードＢに関連する複数のＰＳＣを備える近隣リストを、前記ＰＳＣスプリット情報が受信されたノードＢから受信させるためのコードを備える請求項３２に記載の非一時的コンピュータ読取可能媒体。
【請求項４０】
前記非一時的コンピュータ読取可能媒体はさらに、前記少なくとも１つのコンピュータに対して、前記ＰＳＣスプリット情報に存在しないＰＳＣを前記近隣リスト内に、マクロ・セルに関連するものとして格納させるためのコードを備える請求項３９に記載の非一時的コンピュータ読取可能媒体。
【請求項４１】
前記ＰＳＣスプリット情報は、前記ＰＳＣスプリット情報が受信されたノードＢによって実現されるセルと同様の周波数で動作する同様のタイプのセルに対応するＰＳＣの範囲に関連している請求項３２に記載の非一時的コンピュータ読取可能媒体。
【請求項４２】
装置であって、
１または複数のセルに関連するプライマリ・スクランブリング符号（ＰＳＣ）スプリット情報を備えるオーバヘッド・メッセージを取得するオーバヘッド・メッセージ処理構成要素であって、前記ＰＳＣスプリット情報が受信される前記オーバヘッド・メッセージは、ネットワーク構成に少なくとも部分的に基づく、オーバヘッド・メッセージ処理構成要素、前記ＰＳＣスプリット情報は、ある周波数で動作するクローズされた加入者グループ（ＣＳＧ）セルに割り当てられたＰＳＣのリストまたは範囲の少なくとも一方と、前記ＣＳＧセルの専用周波数情報を含む、と、
前記オーバヘッド・メッセージから前記ＰＳＣスプリット情報を判定するＰＳＣスプリット情報受信構成要素、ここで、前記ＰＳＣスプリット情報は、マクロ・セル・アクセス・ポイントとフェムト・セル・アクセス・ポイントとの両方が前記ネットワーク構成において前記ＰＳＣスプリット情報をブロードキャストする場合に、低優先度の、低頻度で送信されたオーバヘッド・メッセージ内で、または、前記フェムト・セル・アクセス・ポイントのみが前記ＰＳＣスプリット情報を送信するか、または、前記マクロ・セル・アクセス・ポイントのサブセットのみが前記ＰＳＣスプリット情報を送信する場合に、高優先度の、高頻度で送信されたオーバヘッド・メッセージ内で、受信される、と、
その後のセル探索を利用または回避するセルを示す前記ＰＳＣスプリット情報を格納するＰＳＣスプリット情報格納構成要素と、
を備える装置。
【請求項４３】
前記オーバヘッド・メッセージは、セル選択／再選択パラメータを備える請求項４２に記載の装置。
【請求項４４】
前記高優先度の、高頻度で送信されたオーバヘッド・メッセージは、システム情報ブロック３（ＳＩＢ３）メッセージである請求項４２に記載の装置。
【請求項４５】
前記オーバヘッド・メッセージでＣＳＧ識別子を取得する、クローズされた加入者グループ（ＣＳＧ）識別子受信構成要素をさらに備える請求項４３に記載の装置。
【請求項４６】
前記オーバヘッド・メッセージ処理構成要素によって前記オーバヘッド・メッセージが取得されたノードＢに対するアクセスが許可されているかを、前記ＣＳＧ識別子がＣＳＧセルのホワイト・リストに存在するかに少なくも部分的に基づいて区別するアクセス判定構成要素をさらに備える請求項４５に記載の装置。
【請求項４７】
前記ＰＳＣスプリット情報格納構成要素は、前記ＣＳＧセルのホワイト・リストが空であるかに少なくとも部分的に基づいて、利用または回避するセルを示す前記ＰＳＣスプリット情報を格納する請求項４６に記載の装置。
【請求項４８】
前記低優先度の、低頻度で送信されたオーバヘッド・メッセージは、システム情報ブロック１１ｂｉｓ（ＳＩＢ１１ｂｉｓ）メッセージである請求項４２に記載の装置。
【請求項４９】
前記オーバヘッド・メッセージ処理構成要素は、近隣ノードＢのＰＳＣを備える近隣リストを、前記オーバヘッド・メッセージ処理構成要素によって前記オーバヘッド・メッセージが取得されたノードＢから取得する請求項４２に記載の装置。
【請求項５０】
前記ＰＳＣスプリット情報格納構成要素は、前記近隣リストに存在するが、前記ＰＳＣスプリット情報に存在しないＰＳＣを、マクロ・セル・ノードＢに関連するものとして格納する請求項４９に記載の装置。
【請求項５１】
前記ＰＳＣスプリット情報は、前記オーバヘッド・メッセージ処理構成要素によって前記オーバヘッド・メッセージが取得されたノードＢによって実現されるセルと同様の周波数で動作する同様のタイプのセルに対応するＰＳＣの範囲に関連している請求項４２に記載の装置。
【請求項５２】
方法であって、
同じようなタイプの１または複数のセルに関連し、同じような周波数で動作するプライマリ・スクランブリング符号（ＰＳＣ）スプリット情報を受信すること、前記ＰＳＣスプリット情報は、ある周波数で動作するクローズされた加入者グループ（ＣＳＧ）セルに割り当てられたＰＳＣのリストまたは範囲の少なくとも一方と、前記ＣＳＧセルの専用周波数情報を含む、と、
ネットワーク構成に少なくとも部分的に基づいて、前記ＰＳＣスプリット情報を送信するためのオーバヘッド・メッセージを選択すること、ここで、前記ＰＳＣスプリット情報は、マクロ・ＣＳＧセル・アクセス・ポイントとフェムト・セル・アクセス・ポイントとの両方が前記ネットワーク構成において前記ＰＳＣスプリット情報をブロードキャストする場合に、低優先度の、低頻度で送信されたオーバヘッド・メッセージ内で、または、前記フェムト・セル・アクセス・ポイントのみが前記ＰＳＣスプリット情報を送信するか、または、前記マクロ・ＣＳＧセル・アクセス・ポイントのサブセットのみが前記ＰＳＣスプリット情報を送信する場合に、高優先度の、高頻度で送信されたオーバヘッド・メッセージ内で、受信される、と、
前記ＰＳＣスプリット情報を含む前記オーバヘッド・メッセージを、１または複数のモバイル・デバイスへ送信することと、
を備える方法。
【請求項５３】
前記オーバヘッド・メッセージを選択することは、システム情報ブロック３（ＳＩＢ３）メッセージを選択することを含み、前記ネットワーク構成は、フェムト・セル・アクセス・ポイントのみがＰＳＣスプリット情報を送信するか、あるいは、マクロ・セル・アクセス・ポイントのサブセットのみがＰＳＣスプリット情報を送信することを示す請求項５２に記載の方法。
【請求項５４】
前記ＳＩＢ３メッセージに１または複数のアクセス制限パラメータを含めることをさらに備える請求項５３に記載の方法。
【請求項５５】
前記１または複数のアクセス制限パラメータは、クローズされた加入者グループ（ＣＳＧ）識別子を含む請求項５４に記載の方法。
【請求項５６】
前記オーバヘッド・メッセージを選択することは、システム情報ブロック１１ｂｉｓ（ＳＩＢ１１ｂｉｓ）メッセージを選択することを含み、前記ネットワーク構成は、マクロ・セル・アクセス・ポイントおよびフェムト・セル・アクセス・ポイントがＰＳＣスプリット情報を送信することを示す請求項５２に記載の方法。
【請求項５７】
前記ＳＩＢ１１ｂｉｓメッセージ内に、クローズされた加入者グループ（ＣＳＧ）セルのための専用の周波数リストを含めることをさらに備える請求項５６に記載の方法。
【請求項５８】
前記ＰＳＣスプリット情報を受信することは、ネットワーク・デバイス、設定、仕様、またはハードコーディングから前記ＰＳＣスプリット情報を受信することを含む請求項５２に記載の方法。
【請求項５９】
前記オーバヘッド・メッセージを選択することは、アクセス・ポイントのタイプに少なくとも部分的に基づく請求項５２に記載の方法。
【請求項６０】
無線通信装置であって、
同じような周波数で動作する１または複数のセルに関連するプライマリ・スクランブリング符号（ＰＳＣ）スプリット情報を受信し、前記ＰＳＣスプリット情報は、ある周波数で動作するクローズされた加入者グループ（ＣＳＧ）セルに割り当てられたＰＳＣのリストまたは範囲の少なくとも一方と、前記ＣＳＧセルの専用周波数情報を含む、
ネットワーク構成に少なくとも部分的に基づいて、前記ＰＳＣスプリット情報を送信するためのオーバヘッド・メッセージを判定し、ここで、低優先度の、低頻度で送信されたオーバヘッド・メッセージは、マクロ・セル・アクセス・ポイントとフェムト・セル・アクセス・ポイントとの両方が前記ネットワーク構成において前記ＰＳＣスプリット情報をブロードキャストする場合に決定され、または、高優先度の、高頻度で送信されたオーバヘッド・メッセージは、前記フェムト・セル・アクセス・ポイントのみが前記ＰＳＣスプリット情報を送信するか、または、前記マクロ・セル・アクセス・ポイントのサブセットのみが前記ＰＳＣスプリット情報を送信する場合に、決定される、
前記オーバヘッド・メッセージを用いる１または複数のデバイスへ、前記オーバヘッド・メッセージを送信するように構成された少なくとも１つのプロセッサと、
前記少なくとも１つのプロセッサに接続されたメモリと、
を備える無線通信装置。
【請求項６１】
前記少なくとも１つのプロセッサは、前記ネットワーク構成が、前記フェムト・セル・アクセス・ポイントのみが前記ＰＳＣスプリット情報を提供すること、または、前記マクロ・セル・アクセス・ポイントが前記ＰＳＣスプリット情報を送信することを示す場合に、前記オーバヘッド・メッセージが、システム情報ブロック３（ＳＩＢ３）メッセージとなるべきであると判定する、請求項６０に記載の無線通信装置。
【請求項６２】
前記少なくとも１つのプロセッサはさらに、前記ＳＩＢ３メッセージに、１または複数のアクセス制限パラメータを含めるように構成された請求項６１に記載の無線通信装置。
【請求項６３】
前記少なくとも１つのプロセッサは、前記ネットワーク構成が、前記マクロ・セル・アクセス・ポイントおよび前記フェムト・セル・アクセス・ポイントが、前記ＰＳＣスプリット情報を提供することを示す場合に、前記オーバヘッド・メッセージを、システム情報ブロック１１ｂｉｓ（ＳＩＢ１１ｂｉｓ）メッセージとして判定する、請求項６０に記載の無線通信装置。
【請求項６４】
前記少なくとも１つのプロセッサはさらに、クローズされた加入者グループ（ＣＳＧ）セルのための専用の周波数リストを、前記ＳＩＢ１１ｂｉｓメッセージに含めるように構成された請求項６３に記載の無線通信装置。
【請求項６５】
装置であって、
同じような周波数で動作する１または複数のセルに関連するプライマリ・スクランブリング符号（ＰＳＣ）スプリット情報を受信する手段、前記ＰＳＣスプリット情報は、ある周波数で動作するクローズされた加入者グループ（ＣＳＧ）セルに割り当てられたＰＳＣのリストまたは範囲の少なくとも一方と、前記ＣＳＧセルの専用周波数情報を含む、と、
ネットワーク構成に少なくとも部分的に基づいて、前記ＰＳＣスプリット情報を含めるためのオーバヘッド・メッセージを選択する手段、ここで、低優先度の、低頻度で送信されたオーバヘッド・メッセージは、マクロ・セル・アクセス・ポイントとフェムト・セル・アクセス・ポイントとの両方が前記ネットワーク構成において前記ＰＳＣスプリット情報をブロードキャストする場合に決定され、または、高優先度の、高頻度で送信されたオーバヘッド・メッセージは、前記フェムト・セル・アクセス・ポイントのみが前記ＰＳＣスプリット情報を送信するか、または、前記マクロ・セル・アクセス・ポイントのサブセットのみが前記ＰＳＣスプリット情報を送信する場合に、決定される、と、
前記ＰＳＣスプリット情報を備える前記オーバヘッド・メッセージを、１または複数の無線デバイスへ提供する手段と、
を備える装置。
【請求項６６】
前記オーバヘッド・メッセージを選択する手段は、システム情報ブロック３（ＳＩＢ３）メッセージを選択し、前記ネットワーク構成は、前記フェムト・セル・アクセス・ポイントのみが前記ＰＳＣスプリット情報を提供するか、または、前記マクロ・セル・アクセス・ポイントのサブセットのみが前記ＰＳＣスプリット情報を送信することを示す請求項６５に記載の装置。
【請求項６７】
前記オーバヘッド・メッセージを選択する手段は、前記ＳＩＢメッセージ内に１または複数のアクセス制限パラメータを含める請求項６６に記載の装置。
【請求項６８】
前記オーバヘッド・メッセージを選択する手段は、前記ネットワーク構成は、前記マクロ・セル・アクセス・ポイントと前記フェムト・セル・アクセス・ポイントが前記ＰＳＣスプリット情報を提供することを示す場合に、システム情報ブロック１１ｂｉｓ（ＳＩＢ１１ｂｉｓ）メッセージを選択する、請求項６５に記載の装置。
【請求項６９】
前記オーバヘッド・メッセージを選択する手段は、前記ＳＩＢ１１ｂｉｓメッセージ内に、クローズされた加入者グループ（ＣＳＧ）セルのための専用の周波数リストを含める請求項６８に記載の装置。
【請求項７０】
前記ＰＳＣスプリット情報を受信する手段は、ネットワーク・デバイス、設定、仕様、またはハードコーディングから前記ＰＳＣスプリット情報を受信する請求項６５に記載の装置。
【請求項７１】
前記選択する手段は、前記装置のアクセス・ポイント・タイプに少なくとも部分的に基づいて前記オーバヘッド・メッセージを選択する請求項６５に記載の装置。
【請求項７２】
非一時的コンピュータ読取可能媒体であって、
前記非一時的コンピュータ読取可能媒体は、
少なくとも１つのコンピュータに対して、同じようなタイプの１または複数のセルに関連し、同じような周波数で動作するプライマリ・スクランブリング符号（ＰＳＣ）スプリット情報を受信させるためのコード、前記ＰＳＣスプリット情報は、ある周波数で動作するクローズされた加入者グループ（ＣＳＧ）セルに割り当てられたＰＳＣのリストまたは範囲の少なくとも一方と、前記ＣＳＧセルの専用周波数情報を含む、と、
前記少なくとも１つのコンピュータに対して、ネットワーク構成に少なくとも部分的に基づいて、前記ＰＳＣスプリット情報を送信するためのオーバヘッド・メッセージを選択させるためのコード、ここで、低優先度の、低頻度で送信されたオーバヘッド・メッセージは、マクロ・セル・アクセス・ポイントとフェムト・セル・アクセス・ポイントとの両方が前記ネットワーク構成において前記ＰＳＣスプリット情報をブロードキャストする場合に決定され、または、高優先度の、高頻度で送信されたオーバヘッド・メッセージは、前記フェムト・セル・アクセス・ポイントのみが前記ＰＳＣスプリット情報を送信するか、または、前記マクロ・セル・アクセス・ポイントのサブセットのみが前記ＰＳＣスプリット情報を送信する場合に、決定される、と、
前記少なくとも１つのコンピュータに対して、前記ＰＳＣスプリット情報を含む前記オーバヘッド・メッセージを、１または複数の無線デバイスへ送信させるためのコードと、
を備える非一時的コンピュータ読取可能媒体。
【請求項７３】
前記少なくとも１つのコンピュータに対して、前記オーバヘッド・メッセージを選択させるためのコードは、前記ネットワーク構成が、前記フェムト・セル・アクセス・ポイントのみが前記ＰＳＣスプリット情報を送信すること、または、前記マクロ・セル・アクセス・ポイントのサブセットのみが前記ＰＳＣスプリット情報を送信することを示す場合に、システム情報ブロック３（ＳＩＢ３）メッセージを選択する、請求項７２に記載の非一時的コンピュータ読取可能媒体。
【請求項７４】
前記コンピュータ読取可能媒体はさらに、前記少なくとも１つのコンピュータに対して、前記ＳＩＢ３メッセージに、１または複数のアクセス制限パラメータを含めさせるためのコードを備える請求項７３に記載の非一時的コンピュータ読取可能媒体。
【請求項７５】
前記少なくとも１つのコンピュータに対して、前記オーバヘッド・メッセージを選択させるためのコードは、前記ネットワーク構成が、前記マクロ・セル・アクセス・ポイントと前記フェムト・セル・アクセス・ポイントが前記ＰＳＣスプリット情報を送信することを示す場合に、システム情報ブロック１１ｂｉｓ（ＳＩＢ１１ｂｉｓ）メッセージを選択する、請求項７２に記載の非一時的コンピュータ読取可能媒体。
【請求項７６】
前記コンピュータ読取可能媒体はさらに、前記少なくとも１つのコンピュータに対して、前記ＳＩＢ１１ｂｉｓメッセージ内に、クローズされた加入者グループ（ＣＳＧ）のための専用の周波数リストを含めさせるためのコードを備える請求項７５に記載の非一時的コンピュータ読取可能媒体。
【請求項７７】
装置であって、
同じような周波数で動作する１または複数のセルに関連するプライマリ・スクランブリング符号（ＰＳＣ）スプリット情報を受信するＰＳＣスプリット情報判定構成要素、前記ＰＳＣスプリット情報は、ある周波数で動作するクローズされた加入者グループ（ＣＳＧ）セルに割り当てられたＰＳＣのリストまたは範囲の少なくとも一方と、前記ＣＳＧセルの専用周波数情報を含む、と、
ネットワーク構成に少なくとも部分的に基づいて、前記ＰＳＣスプリット情報を含めるためのオーバヘッド・メッセージを選択するオーバヘッド・メッセージ生成構成要素、ここで、低優先度の、低頻度で送信されたオーバヘッド・メッセージは、マクロ・セル・アクセス・ポイントとフェムト・セル・アクセス・ポイントとの両方が前記ネットワーク構成において前記ＰＳＣスプリット情報をブロードキャストする場合に決定され、または、高優先度の、高頻度で送信されたオーバヘッド・メッセージは、前記フェムト・セル・アクセス・ポイントのみが前記ＰＳＣスプリット情報を送信するか、または、前記マクロ・セル・アクセス・ポイントのサブセットのみが前記ＰＳＣスプリット情報を送信する場合に、決定される、と、
前記ＰＳＣスプリット情報を備えるオーバヘッド・メッセージを、１または複数の無線デバイスへ提供するオーバヘッド・メッセージ送信構成要素と、
を備える装置。
【請求項７８】
前記オーバヘッド・メッセージ生成構成要素は、前記ネットワーク構成は、前記フェムト・セル・アクセス・ポイントのみが前記ＰＳＣスプリット情報を提供すること、または、前記マクロ・セル・アクセス・ポイントのサブセットのみが前記ＰＳＣスプリット情報を提供することを示す場合に、システム情報ブロック３（ＳＩＢ３）メッセージを選択し、請求項７７に記載の装置。
【請求項７９】
前記オーバヘッド・メッセージ生成構成要素は、前記ＳＩＢ３メッセージ内に、１または複数のアクセス制限パラメータを含める請求項７８に記載の装置。
【請求項８０】
前記オーバヘッド・メッセージ生成構成要素は、前記ネットワーク構成が、前記マクロ・セル・アクセス・ポイントと前記フェムト・セル・アクセス・ポイントが前記ＰＳＣスプリット情報を提供することを示す場合に、システム情報ブロック１１ｂｉｓ（ＳＩＢ１１ｂｉｓ）メッセージを選択する、請求項７７に記載の装置。
【請求項８１】
前記オーバヘッド・メッセージ生成構成要素は、前記ＳＩＢ１１ｂｉｓメッセージ内に、クローズされた加入者グループ（ＣＳＧ）セルのための専用の周波数リストを含める請求項８０に記載の装置。
【発明の詳細な説明】
【優先権主張】
【０００１】
本特許出願は、本願の譲受人に譲渡され、本明細書に参照によって明確に組み込まれた、２００８年１１月７日出願の“ＭＥＴＨＯＤ  ＡＮＤ  ＡＰＰＡＲＡＴＵＳ  ＴＯ  ＰＲＯＶＩＤＥ  ＯＰＴＩＭＩＺＥＤ  ＳＩＧＮＡＬＩＮＧ  ＡＮＤ  ＥＦＦＩＣＩＥＮＴ  ＵＳＥＲ  ＥＱＵＩＰＭＥＮＴ  ＲＥＡＤＩＮＧ  ＯＦ  ＰＲＩＭＡＲＹ  ＳＣＲＡＭＢＬＩＮＧ  ＣＯＤＥＳ／ＦＲＥＱＵＥＮＣＹ  ＬＩＳＴ  ＲＥＳＥＲＶＥＤ  ＦＯＲ  ＨＯＭＥ  ＮＯＤＥ  Ｂ／ＣＬＯＳＥＤ  ＳＵＢＳＣＲＩＢＥＲ  ＧＲＯＵＰ  ＣＥＬＬＳ”と題された仮出願６１／１１２，５３２号、本願の譲受人に譲渡され、本明細書に参照によって明確に組み込まれた、２００８年１１月１０日出願の“ＭＥＴＨＯＤ  ＴＯ  ＰＲＯＶＩＤＥ  ＯＰＴＩＭＩＺＥＤ  ＳＩＧＮＡＬＩＮＧ  ＡＮＤ  ＥＦＦＩＣＩＥＮＴ  ＵＥ  ＲＥＡＤＩＮＧ  ＯＦ  ＰＳＣｓ（ＰＲＩＭＡＲＹ  ＳＣＲＡＭＢＬＩＮＧ  ＣＯＤＥＳ）／ＦＲＥＱＵＥＮＣＹ  ＬＩＳＴ  ＲＥＳＥＲＶＥＤ  ＦＯＲ  ＨＮＢ／ＣＳＧ  ＣＥＬＬＳ”と題された仮出願６１／１１３，０９１号、のみならず、本願の譲受人に譲渡され、本明細書に参照によって明確に組み込まれた、２００８年１１月１７日出願の“ＭＥＴＨＯＤ  ＡＮＤ  ＡＰＰＡＲＡＴＵＳ  ＴＯ  ＰＲＯＶＩＤＥ  ＯＰＴＩＭＩＺＥＤ  ＳＩＧＮＡＬＩＮＧ  ＡＮＤ  ＥＦＦＩＣＩＥＮＴ  ＵＳＥＲ  ＥＱＵＩＰＭＥＮＴ  ＲＥＡＤＩＮＧ  ＯＦ  ＰＲＩＭＡＲＹ  ＳＣＲＡＭＢＬＩＮＧ  ＣＯＤＥＳ／ＦＲＥＱＵＥＮＣＹ  ＬＩＳＴ  ＲＥＳＥＲＶＥＤ  ＦＯＲ  ＨＯＭＥ  ＮＯＤＥ  Ｂ／ＣＬＯＳＥＤ  ＳＵＢＳＣＲＩＢＥＲ  ＧＲＯＵＰ  ＣＥＬＬＳ”と題された仮出願６１／１１５，４９１号に対する優先権を主張する。
【技術分野】
【０００２】
以下の記載は、一般に、無線通信に関し、さらに詳しくは、クローズされた加入者グループ（ＣＳＧ）リストのためプライマリ・スクランブリング符号（ＰＳＣ）情報および／または専用周波数リストをシグナリングすることに関する。
【背景技術】
【０００３】
無線通信システムは、例えば、音声、データ等のようなさまざまなタイプの通信コンテンツを提供するために広く開発された。一般に、無線通信システムは、利用可能なシステム・リソース（例えば、帯域幅、送信電力）を共有することにより、複数のユーザとの通信をサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム等を含む。さらに、これらシステムは、例えば、第３世代パートナシップ計画（３ＧＰＰ）、３ＧＰＰロング・ターム・イボリューション（ＬＴＥ）、ウルトラ・モバイル・ブロードバンド（ＵＭＢ）、および／または、例えばイボリューション・データ・オプティマイズド（ＥＶ−ＤＯ）のようなマルチ・キャリア無線仕様、あるいはこれら技術の１または複数の改訂技術等に準拠しうる。
【０００４】
一般に、無線多元接続通信システムは、複数のモバイル・デバイスのための通信を同時にサポートすることができる。モバイル・デバイスはそれぞれ、順方向リンクおよび逆方向リンクにおける送信によって、１または複数のアクセス・ポイント（例えば、基地局）と通信することができる。順方向リンク（すなわちダウンリンク）は、アクセス・ポイントからモバイル・デバイスへの通信リンクを称し、逆方向リンク（すなわちアップリンク）は、モバイル・デバイスからアクセス・ポイントへの通信リンクを称する。さらに、モバイル・デバイスとアクセス・ポイントとの間の通信は、単一入力単一出力（ＳＩＳＯ）システム、複数入力単一出力（ＭＩＳＯ）システム、複数入力複数出力（ＭＩＭＯ）システム等によって確立されうる。さらに、ピア・トゥ・ピア無線ネットワーク構成において、モバイル・デバイスが、他のモバイル・デバイスと（および／または、アクセス・ポイントが、他のアクセス・ポイントと）通信することができる。
【０００５】
ＭＩＭＯシステムはデータ送信のために一般に、複数（ＮＴ個）の送信アンテナと複数（ＮＲ個）の受信アンテナとを適用する。アンテナは、基地局とモバイル・デバイスとの両方に関連しており、一例では、無線ネットワークにおけるデバイス間の双方向通信を可能とする。モバイル・デバイスは無線ネットワーク・サービス・エリア内の至るところに移動するので、（例えばマクロ・セル、フェムト・セル、ピコ・セル等のような）１または複数のアクセス・ポイントによって提供される通信のために利用されるセルは、モバイル・デバイスによって選択／再選択されうる。選択／再選択に関する情報、または、その他のアクセス・パラメータは、予め設定されたスケジューリングおよび／またはＳＩＢの優先度にしたがって定期的に送信されうる１または複数のシステム情報ブロック（ＳＩＢ）でモバイル・デバイスへ送信されうる。さらに、アクセス・ポイントは、アクセス・ポイントからの通信（例えば、ＳＩＢまたはその他）を識別および／またはデスクランブルするために、（例えば、パイロット・チャネルまたはその他のチャネルによって）プライマリ・スクランブリング符号（ＰＳＣ）を使用しうる。
【０００６】
（ＣＳＧセルとも呼ばれる）いくつかのアクセス・ポイントは、あるモバイル・デバイスによってのみアクセス可能なクローズされた加入者グループ（ＣＳＧ）の一部でありうる。モバイル・デバイスは、モバイル・デバイスがアクセス・ポイントにアクセスすることが許可されているか否か（例えば、ホワイト・リストまたはブラック・リスト）を示すＣＳＧセルのリストを提供されるか、および／または、維持しうる。この点に関し、モバイル・デバイスは、それぞれのＣＳＧセルへのアクセスを試みる前に、ＣＳＧセルが許可されているかを判定するために、ホワイト・リストおよび／またはブラック・リストを調べることによって、セル選択／再選択中に、節電しうる。モバイル・デバイスはまた、利用されているＰＳＣ（例えば、ＣＳＧ  ＰＳＣスプリット情報）にしたがって、ＣＳＧセルを識別するリスト／範囲を提供されるか、および／または、維持しうる。この点に関し、モバイル・デバイスはさらに、モバイル・デバイスがグループ内のどのＣＳＧセルへのアクセスを希望することも、許可もされていない場合、（例えばＳＩＢのような）ブロードキャスト情報を読み取ることなく、ＣＳＧセルをすべて回避することによって、セル選択／再選択中に節電しうる。さらに、ＣＳＧセルを求める探索の最適化、および、適切なパラメータを用いたこれらの再選択のために、ＰＳＣリスト／範囲が使用されうる。さらに、同じような周波数において動作するＣＳＧセルが展開され、ＰＳＣの範囲が割り当てられる。
【発明の概要】
【０００７】
以下は、１または複数の態様の基本的な理解を与えるために、そのような態様の簡略化された概要を示す。この概要は、考えられるすべての態様の広範囲な概観ではなく、すべての態様の重要要素や決定的要素を特定することも、何れかまたは全ての態様のスコープを線引きすることも意図されていない。その唯一の目的は、後に示されるより詳細な記載に対する前置きとして、簡略化された形式で１または複数の態様のいくつかの概念を表すことである。
【０００８】
１または複数の態様および対応する開示によれば、さまざまな態様が、別の構成モデルにおいて、モバイル・デバイスへプライマリ・スクランブリング符号（ＰＳＣ）スプリット情報を効率的に送信することを容易にすることに関連して記載される。１つの構成モデルでは、例えば、マクロ・セル・アクセス・ポイントおよびフェムト・セル・アクセス・ポイントが、例えば測定制御情報を送信するために使用されるような、低優先度で低頻度で送信されるオーバヘッド・メッセージで、関連する周波数のためのＰＳＣスプリット情報を送信しうる。この目的のために、モバイル・デバイスは、現在キャンプ・オンしているセルから、ＰＳＣスプリット情報を受信しうる。別の構成モデルでは、例えば、フェムト・セル・アクセス・ポイントは単独で、高優先度で高頻度で送信されるオーバヘッド・メッセージで、セル選択／再選択パラメータやセル・アクセス制限パラメータ等を含むＰＳＣスプリット情報を送信しうる。この点に関し、モバイル・デバイスは、アクセス・ポイントとの通信時に、早い時期に情報を受信しうる。フェムト・セル・アクセス・ポイントのうちのいくつかは、（例えば、クローズされた加入者グループ（ＣＳＧ）セルのような）あるモバイル・デバイスにのみアクセス可能であるので、ＣＳＧ識別情報またはセル・アクセス制限パラメータを含むオーバヘッド・メッセージと同じ頻度またはより頻繁に送信されうるオーバヘッド・メッセージでＰＳＣスプリット情報を送信することによって、モバイル・デバイスは、アクセスを許可しないセルからでさえもＰＳＣスプリット情報を受信できるようになる。いずれの場合も、ＰＳＣスプリット情報は、一例において、周波数における１または複数のセルのためのリストまたはＰＳＣ範囲に関連し、これらデバイスは、ＰＳＣスプリット情報によって提供される１または複数のＰＳＣを用いて、セルの回避、利用、あるいは探索や、選択／再選択のために、この情報を利用しうる。
【０００９】
関連する態様によれば、ネットワーク構成に少なくとも部分的に基づいて、複数のオーバヘッド・メッセージのうちの１つで、１または複数のセルに関連するＰＳＣスプリット情報を受信することを含む方法が提供される。この方法はまた、１または複数のセルのうちの少なくとも１つから受信されたブロードキャスト信号に少なくとも部分的に基づいて、１または複数のセルのうちの少なくとも１つを識別するために、ＰＳＣスプリット情報を利用することを含む。
【００１０】
別の態様は、無線通信装置に関する。この無線通信装置は、ネットワーク構成に少なくとも部分的に基づいて、複数のオーバヘッド情報のうちの１つで、１または複数のセルに関連するＰＳＣスプリット情報を取得するように構成された少なくとも１つのプロセッサを含みうる。この少なくとも１つのプロセッサはさらに、その後のセル識別を回避または利用するセルを示すＰＳＣスプリット情報を格納するように構成される。この無線通信装置はまた、少なくとも１つのプロセッサに接続されたメモリをも備える。
【００１１】
また、別の態様は、装置に関する。この装置は、１または複数のセルに関連するＰＳＣスプリット情報を備えるオーバヘッド・メッセージを受信する手段を含む。ここで、ＰＳＣスプリット情報が受信されるオーバヘッド・メッセージは、ネットワーク構成に少なくとも部分的に基づく。この装置はまた、オーバヘッド・メッセージからＰＳＣスプリット情報を判定する手段と、その後のセル探索を利用または回避するセルを示すＰＳＣスプリット情報を格納する手段とを含む。
【００１２】
また、別の態様は、コンピュータ読取可能媒体を有しうるコンピュータ・プログラム製品に関する。このコンピュータ読取可能媒体は、少なくとも１つのコンピュータに対して、ネットワーク構成に少なくとも部分的に基づいて、複数のオーバヘッド・メッセージのうちの１つで、１または複数のセルに関連するＰＳＣスプリット情報を受信させるためのコードを含む。このコンピュータ読取可能媒体はまた、少なくとも１つのコンピュータに対して、１または複数のセルのうちの少なくとも１つから受信したブロードキャスト信号に少なくとも部分的に基づいて、１または複数のセルのうちの少なくとも１つを識別するためにＰＳＣスプリット情報を利用させるためのコードを備えうる。
【００１３】
さらに、さらなる態様は、１または複数のセルに関連するＰＳＣスプリット情報を備えるオーバヘッド・メッセージを取得するオーバヘッド・メッセージ処理構成要素を含む装置に関する。ＰＳＣスプリット情報が受信されるオーバヘッド・メッセージは、ネットワーク構成に少なくとも部分的に基づく。この装置はさらに、オーバヘッド・メッセージからＰＳＣスプリット情報を判定するＰＳＣスプリット情報受信構成要素と、その後のセル探索を利用または回避するセルを示すＰＳＣスプリット情報を格納するＰＳＣスプリット情報格納構成要素とを含みうる。
【００１４】
別の態様によれば、同じようなタイプの１または複数のセルに関連し、同じような周波数で動作するＰＳＣスプリット情報を受信することと、を含む方法が提供される。この方法はさらに、ネットワーク構成に少なくとも部分的に基づいて、ＰＳＣスプリット情報を送信するためのオーバヘッド・メッセージを選択することと、ＰＳＣスプリット情報を含むオーバヘッド・メッセージを１または複数のモバイル・デバイスへ送信することとを含む。
【００１５】
別の態様は、無線通信装置に関する。この無線通信装置は、同じような周波数で動作する１または複数のセルに関連するＰＳＣスプリット情報を受信し、ネットワーク構成に少なくとも部分的に基づいて、ＰＳＣスプリット情報を送信するためのオーバヘッド・メッセージを判定するように構成された少なくとも１つのプロセッサを含みうる。少なくとも１つのプロセッサはさらに、オーバヘッド・メッセージを用いる１または複数のデバイスへ、オーバヘッド・メッセージを送信するように構成される。この無線通信装置はまた、少なくとも１つのプロセッサに接続されたメモリをも備える。
【００１６】
また、別の態様は、装置に関連する。この装置は、同じような周波数で動作する１または複数のセルに関連するＰＳＣスプリット情報を受信する手段と、ネットワーク構成に少なくとも部分的に基づいて、ＰＳＣスプリット情報を含めるためのオーバヘッド・メッセージを選択する手段とを含む。この装置はまた、ＰＳＣスプリット情報を備えるオーバヘッド・メッセージを、１または複数の無線デバイスへ提供する手段を含む。
【００１７】
また別の態様は、コンピュータ読取可能媒体を有するコンピュータ・プログラム製品に関する。このコンピュータ読取可能媒体は、少なくとも１つのコンピュータに対して、同じようなタイプの１または複数のセルに関連し、同じような周波数で動作するＰＳＣスプリット情報を受信させるためのコードを含む。このコンピュータ読取可能媒体はまた、少なくとも１つのコンピュータに対して、ネットワーク構成に少なくとも部分的に基づいて、ＰＳＣスプリット情報を送信するためのオーバヘッド・メッセージを選択させるためのコードと、少なくとも１つのコンピュータに対して、ＰＳＣスプリット情報を含むオーバヘッド・メッセージを、１または複数の無線デバイスへ送信させるためのコードとを備えうる。
【００１８】
さらに、さらなる態様は、同じような周波数で動作する１または複数のセルに関連するＰＳＣスプリット情報を受信するＰＳＣスプリット情報判定構成要素を含む装置に関する。この装置はさらに、ネットワーク構成に少なくとも部分的に基づいて、ＰＳＣスプリット情報を含めるためのオーバヘッド・メッセージを選択するオーバヘッド・メッセージ生成構成要素と、ＰＳＣスプリット情報を備えるオーバヘッド・メッセージを、１または複数の無線デバイスへ提供するオーバヘッド・メッセージ送信構成要素とを含みうる。
【００１９】
前述した目的および関連する目的を達成するために、１または複数の実施形態は、後に十分に記載され、特許請求の範囲において特に指摘されている特徴を備える。次の記載および添付図面は、１または複数の態様のある例示的な特徴を詳細に記載する。しかしながら、これらの特徴は、さまざまな態様の原理が適用される種々の方式のうちの極く僅かを示しているに過ぎず、本記載は、そのようなすべての態様およびそれらの均等物を含むことが意図されている。
【図面の簡単な説明】
【００２０】
【図１】図１は、本明細書に記載されたさまざまな態様にしたがう無線通信システムの実例である。
【図２】図２は、無線通信環境において適用される通信装置の実例である。
【図３】図３は、ＰＳＣスプリット情報を有効にする無線通信システムの例を図示する。
【図４】図４は、ＰＳＣスプリット情報を受信し利用することを容易にする方法の例を図示する。
【図５】図５は、セル・アクセス可能性に基づいて、ＰＳＣスプリット情報を分類することを容易にする方法の例を図示する。
【図６】図６は、ＰＳＣスプリット情報を送信することを容易にする方法の例を図示する。
【図７】図７は、ＰＳＣスプリット情報の受信および利用を容易にするモバイル・デバイスの例を図示する。
【図８】図８は、１または複数の無線デバイスへＰＳＣスプリット情報を提供するシステムの例を図示する。
【図９】図９は、セル選択／再選択パラメータとともにＰＳＣスプリット情報を受信するシステムの例を図示する。
【図１０】図１０は、１または複数の無線デバイスにＰＳＣスプリット情報を送信することを容易にするシステムの例を図示する。
【図１１】図１１は、マクロ・セル・アクセス・ポイント通信およびフェムト・セル・アクセス・ポイント通信を提供することを容易にする無線ネットワーク環境の例を図示する。
【図１２】図１２は、複数のタイプのアクセス・ノードを含む無線ネットワーク環境の例を図示する。
【図１３】図１３は、マクロ・セル内に構成されたフェムト・セル・アクセス・ポイントを有する無線ネットワーク環境の例を図示する。
【図１４】図１４は、本明細書で説明されたされたさまざまなシステムおよび方法と連携して適用されうる無線ネットワーク環境の実例である。
【発明を実施するための形態】
【００２１】
さまざまな態様が、図面を参照して記載される。以下の記載では、説明の目的のために、１または複数の態様の完全な理解を提供するために、多くの具体的な詳細が述べられる。しかしながら、そのような態様は、これら具体的な詳細無しで実現されうることが明確である。
【００２２】
本願で使用されるように、用語「構成要素」、「モジュール」、「システム」等は、ハードウェア、ファームウェア、ハードウェアとソフトウェアとの組み合わせ、ソフトウェア、あるいは実行中のソフトウェアのうちの何れかであるコンピュータ関連エンティティを含むことが意図されている。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピュータ・デバイス上で実行中のアプリケーションと、コンピュータ・デバイスとの両方が構成要素になりえる。１または複数の構成要素は、プロセスおよび／または実行スレッド内に存在し、構成要素は、１つのコンピュータに局在化されるか、および／または、２つ以上のコンピュータに分散されうる。さらに、これらの構成要素は、さまざまなデータ構造を格納したさまざまなコンピュータ読取可能媒体から実行可能である。これら構成要素は、例えば、信号によってローカル・システムや分散システム内の他の構成要素とインタラクトする１つの構成要素からのデータ、および／または、他のシステムを備えた例えばインターネットのようなネットワークを介して他の構成要素とインタラクトする１つの構成要素からのデータのような１または複数のデータのパケットを有する信号にしたがって、ローカル処理および／またはリモート処理によって通信することができる。
【００２３】
さらに、本明細書では、さまざまな態様が、有線端末または無線端末でありうる端末と関連して開示される。端末は、システム、デバイス、加入者ユニット、加入者局、移動局、モバイル、モバイル・デバイス、遠隔局、遠隔端末、アクセス端末、ユーザ端末、端末、通信デバイス、ユーザ・エージェント、ユーザ・デバイス、またはユーザ機器（ＵＥ）とも称されうる。無線端末は、セルラ電話、衛星電話、コードレス電話、セッション初期化プロトコル（ＳＩＰ）電話、無線ローカル・ループ（ＷＬＬ）局、携帯情報端末（ＰＤＡ）、無線接続機能を有するハンドヘルド・デバイス、コンピューティング・デバイス、あるいは、無線モデムに接続されたその他の処理デバイスでありうる。さらに、本明細書では、さまざまな態様が、基地局に関して記載される。基地局は、無線端末（単数または複数）との通信のために利用され、アクセス・ポイント、ノードＢ（例えば、イボルブド・ノードＢ（ｅＮＢ）等）、あるいはその他いくつかの用語でも称されうる。
【００２４】
さらに、用語「または」は、排他的な「または」ではなく、包括的な「または」を意味することが意図されている。すなわち、別に示されていない場合、あるいは、文脈から明らかではない場合、「ＸはＡまたはＢを適用する」という句は、自然な包括的な置き換えのうちの何れかを意味することが意図されている。すなわち、「ＸはＡまたはＢを使用する。」という句は、以下の例のうちの何れによっても満足される。ＸはＡを使用する。ＸはＢを使用する。あるいは、ＸはＡとＢとの両方を使用する。さらに、本願および特許請求の範囲で使用されているような冠詞“ａ”および“ａｎ”は、特に指定されていない場合、あるいは、単数を対象としていることが文脈から明らかではない場合、一般に、「１または複数」を意味するものと解釈されるべきである。
【００２５】
本明細書に記述された技術は、例えばＣＤＭＡ、ＴＤＭＡ、ＦＤＭＡ、ＯＦＤＭＡ、ＳＣ−ＦＤＭＡ、およびその他のシステムのようなさまざまな無線通信システムのために使用される。「システム」、「ネットワーク」という用語はしばしば置換可能に使用される。ＣＤＭＡネットワークは、例えば、ユニバーサル地上ラジオ・アクセス（ＵＴＲＡ）、ｃｄｍａ２０００等のようなラジオ技術を実施することができる。ＵＴＲＡは、広帯域ＣＤＭＡ（Ｗ−ＣＤＭＡ）およびＣＤＭＡのその他の変形を含んでいる。ＣＤＭＡ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実現することができる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実現しうる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、ダウンリンクではＯＦＤＭＡを適用し、アップリンクではＳＣ−ＦＤＭＡを適用するＥ−ＵＴＲＡを用いるＵＭＴＳのリリースである。ＵＴＲＡ、Ｅ−ＵＴＲＡ、ＵＭＴＳ、ＬＴＥ、およびＧＳＭは、「第３世代パートナシップ計画プロジェクト」（３ＧＰＰ）と命名された組織からのドキュメントに記述されている。さらに、ｃｄｍａ２０００およびＵＭＢは、「第３世代パートナシップ計画プロジェクト２」（３ＧＰＰ２）と命名された組織からのドキュメントに記述されている。さらに、そのような無線通信システムは、しばしばアンペア（ｕｎｐａｉｒｅｄ）な無許可のスペクトルを用いるピア・トゥ・ピア（例えば、モバイル・トゥ・モバイル）アド・ホック・ネットワーク・システム、８０２ｘｘ無線ＬＡＮ、Ｂｌｕｅｔｏｏｔｈ（登録商標）、および、その他任意の短距離または長距離の無線通信技術を含みうる。
【００２６】
さまざまな態様または特徴が、多くのデバイス、構成要素、モジュールなどを含むシステムの観点から示されるだろう。さまざまなシステムが、追加のデバイス、構成要素、モジュール等を含むことができるか、および／または、図面に関連して説明されたデバイス、構成要素、モジュール等の必ずしも全てを含んでいる訳ではないことが理解され、認識されるべきである。これらアプローチの組み合わせもまた使用されうる。
【００２７】
図１に示すように、本明細書に記載されたさまざまな実施形態にしたがった無線通信システム１００が例示されている。システム１００は、複数のアンテナ・グループを含むことができる基地局１０２を含む。例えば、１つのアンテナ・グループは、アンテナ１０４およびアンテナ１０６を含むことができ、別のグループはアンテナ１０８およびアンテナ１１０を備えることができ、さらに別のグループはアンテナ１１２およびアンテナ１１４を含むことができる。おのおののアンテナ・グループについて２本のアンテナしか例示されていないが、２本より多いアンテナ、または２本より少ないアンテナも、各グループのために利用されうる。基地局１０２はさらに、送信機チェーンおよび受信機チェーンを含みうる。それらおのおのは、当業者によって理解されるように、信号の送信および受信に関連する複数の構成要素（例えば、プロセッサ、変調器、マルチプレクサ、復調器、デマルチプレクサ、アンテナなど）を備えうる。
【００２８】
基地局１０２は、モバイル・デバイス１１６およびモバイル・デバイス１２６のような１または複数のモバイル・デバイスと通信しうる。しかしながら、基地局１０２は、モバイル・デバイス１１６およびモバイル・デバイス１２６に類似した実質的に任意の数のモバイル・デバイスと通信しうることが理解されるべきである。モバイル・デバイス１１６、１２６は例えば、セルラ電話、スマート・フォン、ラップトップ、ハンドヘルド通信デバイス、ハンドヘルド・コンピュータ・デバイス、衛星ラジオ、全地球測位システム、ＰＤＡ、および／または、無線通信システム１００を介して通信するのに適切なその他任意のデバイスでありうる。図示するように、モバイル・デバイス１１６は、アンテナ１１２およびアンテナ１１４と通信している。ここで、アンテナ１１２およびアンテナ１１４は、順方向リンク１１８によってアクセス端末１１６へ情報を送信し、逆方向リンク１２０によってアクセス端末１１６から情報を受信する。周波数分割デュプレクス（ＦＤＤ）システムでは、例えば、順方向リンク１１８は、逆方向リンク１２０によって使用されるものとは異なる周波数帯域を利用しうる。さらに、時分割デュプレクス（ＴＤＤ）システムでは、順方向リンク１１８と逆方向リンク１２０とは共通の周波数を利用しうる。
【００２９】
アンテナの各グループ、および／または、これらが通信するように指定されたエリアは、基地局１０２のセルまたはセクタと称されうる。例えば、基地局１０２によってカバーされる領域のセクタ内のアクセス端末に通信するように、複数のアンテナが設計されうる。順方向リンク１１８による通信では、基地局１０２の送信アンテナは、モバイル・デバイス１１６の順方向リンク１１８の信号対雑音比を向上するために、ビームフォーミングを利用しうる。さらに、基地局１０２は、関連する有効通信範囲にわたってランダムに散在するモバイル・デバイス１１６へ送信するために、ビームフォーミングを利用する一方、近隣セル内のモバイル・デバイスは、すべてのモバイル・デバイスへ単一のアンテナによって送信する基地局に比べて、少ない干渉しか被らない。さらに、モバイル・デバイス１１６、１２６は、ピア・トゥ・ピア技術またはアド・ホック技術を用いて互いにダイレクトに通信しうる。
【００３０】
さらに、基地局１０２は、（例えば、３Ｇネットワークのような）無線サービス・アクセス・ネットワークを含む１または複数のネットワークでありうるネットワーク１２２と、バックホール・リンク接続によって通信しうる。ネットワーク１２２は、モバイル・デバイス１１６、１２６にサービスを提供するために、モバイル・デバイス１１６、１２６に関連するアクセス・パラメータと、無線アクセス・ネットワークのその他のパラメータとに関連する情報を格納しうる。さらに、（前述した順方向リンク１１８および逆方向リンク１２０と同様に）順方向リンク１２８および逆方向リンク１３０によってモバイル・デバイス１２６と通信することを容易にするフェムト・セル・アクセス・ポイント１２４が提供されうる。フェムト・セル・アクセス・ポイント１２４は、小規模ではあるが、基地局１０２と同様に、１または複数のモバイル・デバイス１２６へアクセスを提供しうる。一例では、フェムト・セル・アクセス・ポイント１２４は、住宅、ビジネス、および／または、その他の近距離範囲設定（例えば、テーマ・パーク、スタジアム、アパートメント・コンプレクス等）内に設定されうる。フェムト・セル・アクセス・ポイント１２４は、一例において、ブロードバンド・インターネット接続（Ｔ１／Ｔ３、デジタル加入者線（ＤＳＬ）、ケーブル等）でありうるバックホール・リンク接続を利用してネットワーク１２２へ接続しうる。ネットワーク１２２はまた、モバイル・デバイス１２６のためのアクセス情報を提供しうる。
【００３１】
例によれば、モバイル・デバイス１１６、１２６は、サービス・エリア中を移動し、移動している途中または静止している間に、無線アクセスの開始、または、別の基地局および／またはフェムト・セルからのセル再選択の実行を行う。この点に関し、モバイル・デバイス１１６、１２６は、モバイル・デバイス１１６、１２６のユーザに対してシームレスな連続無線サービスを有効にしうる。（図示していないが）一例において、モバイル・デバイス１２６は、モバイル・デバイス１１６と同様に、基地局１０２と通信しており、フェムト・セル・アクセス・ポイント１２４の指定された範囲へ移動するかもしれない。この点に関し、モバイル・デバイス１２６は、より望ましい無線サービス・アクセスを受けるために、フェムト・セル・アクセス・ポイント１２４に関連する１または複数のセルを再選択するかもしれない。さらに、モバイル・デバイス１２６が、基地局１０２へ向かって移動した場合、モバイル・デバイス１２６は、ある時点において、（例えば、フェムト・セル・アクセス・ポイント１２４への干渉を緩和するため、より最適な信号や、より高いスループットを受信するため等のような）さまざまな理由で、関連するセルを再選択しうる。
【００３２】
所与のモバイル・デバイス１１６および／または１２６は、サービス・エリアにわたって移動している場合、標準的な指定されたルールおよび／またはアルゴリズムにしたがって、モバイル・デバイス１１６および／またはモバイル・デバイス１２６へのセル再選択がいつ適切であるかを判定するために、（例えば、基地局１０２のような）利用可能な基地局、（例えば、フェムト・セル・アクセス・ポイント１２４のような）フェムト・セル、および／または、その他のアクセス・ポイントの信号品質を測定しうる。モバイル・デバイス１１６および／または１２６は、これら測定値のうちの１または複数に基づいて、再選択のためのアクセス・ポイントをランク付けしうる。ランキングが決定されると、モバイル・デバイス１１６および／または１２６は、最も高いランキングのアクセス・ポイントのセル再選択を試みうる。しかしながら、例において、フェムト・セル・アクセス・ポイント１２４は、モバイル・デバイス１１６および／またはモバイル・デバイス１２６がアクセスすることを許可されないクローズされた加入者グループ（ＣＳＧ）のアクセス・ポイントでありうる。
【００３３】
例によれば、基地局１０２およびフェムト・セル・アクセス・ポイント１２４は、それぞれのアクセス・ポイントと、同じまたは同じような周波数で動作するアクセス・ポイントへ、関連するプライマリ・スクランブリング符号（ＰＳＣ）スプリット情報を送信しうる。例えば、ＰＳＣスプリット情報は、この周波数で動作している同じようなセルに割り当てられたＰＳＣの範囲またはリストを示しうる。別の例において、ＰＳＣスプリット情報は、この周波数が、ＣＳＧセルのみの周波数であるかを示すビットでありうる。基地局１０２およびフェムト・セル・アクセス・ポイント１２４は、例えば、ハードコーディングや仕様にしたがって、１または複数のアップストリーム・ネットワーク構成要素や、１または複数のアクセス・ポイント等から、このような情報を受信しうる。この例において、基地局１０２およびフェムト・セル・アクセス・ポイント１２４は、ＰＳＣスプリット情報を、例えば測定制御情報、専用ＣＳＧ周波数リスト等を含むメッセージのように、比較的低頻度で送信されるオーバヘッド・メッセージで送信し、モバイル・デバイス１１６、１２６が受信しうる。モバイル・デバイス１１６、１２６は、現在キャンプ・オンしているセルからＰＳＣリストを受信するので、同じ周波数におけるセルを評価する際における後の使用のためにこれら情報をコンシステントに格納しうる。例えば、モバイル・デバイス１１６、１２６は、リスト内のＰＳＣにしたがってセルを識別し、識別したセルを回避、利用、選択／再選択等のために、この識別情報を利用しうる。
【００３４】
別の例によれば、フェムト・セル・アクセス・ポイント１２４のみがＰＳＣスプリット情報を送信しうる。この例において、フェムト・セル・アクセス・ポイント１２４は、利用されるよりも高い頻度で送信されるオーバヘッド・メッセージ内にＰＳＣスプリット情報を含めうる。ここでは、基地局１０２はさらにセル選択／再選択情報を備えるオーバヘッド・メッセージのようなＰＳＣスプリット情報を送信している。この点に関し、モバイル・デバイス１１６および／またはモバイル・デバイス１２６は、（例えば、ＣＳＧセルを提供する）フェムト・セル・アクセス・ポイント１２４にアクセスすることができないので、モバイル・デバイス１１６および／またはモバイル・デバイス１２６は、フェムト・セル・アクセス・ポイント１２４と通信する際に早期にＰＳＣスプリット情報を受信し、これによって、フェムト・セル・アクセス・ポイント１２４との通信がＣＳＧ制限によって途絶えると、ＰＳＣスプリット情報を有するようになる。モバイル・デバイス１１６および／またはモバイル・デバイス１２６は、その後、ＰＳＣに基づいてセルを回避、探索、あるいは、利用、選択／再選択等の際に、ＰＳＣスプリット情報を利用しうる。ＰＳＣスプリット情報のこのような効率的な受信および利用によって、モバイル・デバイス１１６および／またはモバイル・デバイス１２６における電力を節約し、フェムト・セル・アクセス・ポイント１２４に対する干渉を緩和しうることが認識されるべきである。
【００３５】
図２に移って、無線通信環境内で適用される通信装置２００が例示される。この通信装置２００は、モバイル・デバイスまたはその一部であるか、あるいは、無線ネットワークによって通信したり、および／または、無線ネットワークへのアクセスを受け取る実質的に任意の通信装置でありうる。通信装置２００は、周波数によってセル有効通信範囲を提供する１または複数のアクセス・ポイントから、周波数に関連するＰＳＣスプリット情報を取得できうるＰＳＣスプリット情報受信構成要素２０２と、その後の問合せまたはその他の利用のためにＰＳＣスプリット情報を保持するＰＳＣスプリット情報格納構成要素２０４と、セル選択／再選択手順の一部あるいはその他として近隣セルを位置決めするセル探索構成要素２０６とを含みうる。
【００３６】
例によれば、ＰＳＣスプリット情報受信構成要素２０２は、受信した１または複数のオーバヘッド・メッセージからＰＳＣスプリット情報を抽出しうる。説明するように、ＰＳＣスプリット情報は、構成モデルにしたがって受信されうる。１つのモデルにおいて、ＰＳＣスプリット情報受信構成要素２０２は、マクロ・セル・アクセス・ポイントとフェムト・セル・アクセス・ポイント（図示せず）との両方がＰＳＣスプリット情報を送信する場合、同様のオーバヘッド・メッセージと比べて比較的低頻度で受信された低優先度のオーバヘッド・メッセージから、ＰＳＣスプリット情報を抽出しうる。一例において、ＰＳＣスプリット情報を備えるオーバヘッド・メッセージは、（システム情報ブロック（ＳＩＢ）１１ｂｉｓ、ＳＩＢ２０、または３ＧＰＰ  ＬＴＥ仕様における同様のメッセージのような）管理制御情報のような低優先度のパラメータを含みうる。例えば、フェムト・セルまたはＣＳＧセルのみがＰＳＣスプリット情報を提供する構成では、ＰＳＣスプリット情報受信構成要素２０２は、さらにあるいはその代わりに、同様のオーバヘッド・メッセージよりも高い頻度で送信された高優先度オーバヘッド・メッセージからＰＳＣスプリット情報を抽出しうる。例えば、この高優先度オーバヘッド・メッセージは、例えばセル選択／再選択パラメータ（例えば、ＳＩＢ３または３ＧＰＰ  ＬＴＥ仕様における同様のメッセージ）、その他のアクセス制限パラメータ等のようなその他の高優先度パラメータを含みうる。
【００３７】
いずれの場合も、ＰＳＣスプリット情報格納構成要素２０４は、その後の使用のために、ＰＳＣスプリット情報を格納しうる。説明するように、ＰＳＣスプリット情報は、この周波数で提供されたその他のセルによって利用されるＰＳＣのリスト、このようなＰＳＣの範囲、その他の専用周波数情報等を含みうる。セル探索構成要素２０６は、１または複数のセルを選択することに関連する１または複数の動作を実行する際に、ＰＳＣスプリット情報格納構成要素２０４内のＰＳＣスプリット情報を調べうる。例えば、セル選択／再選択中、セル探索構成要素２０６は、希望にしたがってランク付けされうるその後の選択／再選択のため、通信装置２２０の指定された範囲内におけるセルを位置決めしうる。それに加えて、説明するように、セルは、許可されたセルのホワイト・リスト（あるいは、禁止されたセルのブラック・リスト）に対してベリファイされうる。
【００３８】
しかしながら、ＰＳＣスプリット情報格納構成要素２０４が、ある周波数に関するＰＳＣスプリット情報を有する場合、範囲内にＰＳＣを有するセルは、セル探索構成要素２０６によって回避、あるいは、明確な探索等がなされうる。例えば、ＰＳＣスプリット情報が１または複数の所望のセルのＰＳＣを含む場合、セル探索構成要素２０６は、ＰＳＣ範囲内のセルを好むか、あるいは、明確に探索しうる。同様に、ＰＳＣスプリット情報が、所望されない、あるいは、アクセス不可能なセル（例えば、アクセス不可能なＣＳＧアクセス・ポイント）のＰＳＣを含む場合、セル探索構成要素２０６は、ＰＳＣ範囲内のセルの問合せを回避しうる。説明するように、ＰＳＣは、パイロット・チャネルによって識別されうる。これによって、セル探索構成要素２０６は、例えばＰＳＣに基づくさらなる調査を行うことなく、パイロット・チャネルに基づいて、関連するアクセス・ポイントを回避するか、または、含めうる。
【００３９】
図３を参照して、１または複数の構成モデルにしたがって、無線ネットワーク内のデバイスへＰＳＣ情報を効率的に通信することを容易にする無線通信システム３００が例示されている。システム３００は、ＵＥ３０２を含みうる。これは、モバイル・デバイス（独立駆動されるデバイスのみならず、例えばモデムも含む）、その一部、あるいは、無線ネットワークへのアクセスを試みるためにノードＢ３０４と通信する実質的に任意の無線デバイスでありうる。ノードＢ３０４は、例えば、モバイル・デバイス、その一部、あるいは、無線ネットワークへのアクセスを提供する実質的に任意のデバイスであるマクロ・セル基地局、フェムト・セル基地局、あるいはピコ・セル基地局でありうる。さらに、システム３００は、ＭＩＭＯシステムでありうるか、および／または、１または複数の無線ネットワーク・システム仕様（例えば、ＥＶ−ＤＯ、３ＧＰＰ、３ＧＰＰ２、３ＧＰＰ  ＬＴＥ、ＷｉＭＡＸ等）に準拠することができ、ＵＥ３０２とノードＢ３０４との間の通信を容易にする追加の構成要素を備えうる。
【００４０】
ＵＥ３０２は、例えばＳＩＢを含む１または複数のソースからオーバヘッド・メッセージを受信し、分析するオーバヘッド・メッセージ処理構成要素３０６と、１または複数のオーバヘッド・メッセージから、ＰＳＣ範囲または関連する情報を取得しうるＰＳＣスプリット情報受信構成要素２０２と、オーバヘッド・メッセージのうちの１つからＣＳＧセルの識別子を取得しうるＣＳＧ識別子受信構成要素３０８と、ＵＥ３０２が、ＣＳＧ識別子に関連するアクセス・ポイントと通信することができるかを区別するアクセス判定構成要素３１０と、その後の使用のために、ＰＳＣ範囲または関連する情報を格納しうるＰＳＣスプリット情報格納構成要素２０４と、ＰＳＣ範囲に少なくとも部分的に基づいて、選択／再選択またはその他の動作のためにセルを位置決めしうるセル探索構成要素２０６とを含みうる。ノードＢ３０４は、ＰＳＣ範囲、または、ノードＢ３０４によって利用される周波数に関連するその他のスプリット情報を受信するＰＳＣススプリット情報判定構成要素３１２と、ＵＥ３０２と通信することに関連する１または複数のオーバヘッド・メッセージを生成するオーバヘッド・メッセージ生成構成要素３１４と、１または複数のオーバヘッド・メッセージを１または複数のデバイスへ提供するオーバヘッド・メッセージ送信構成要素３１６とを含む。
【００４１】
例によれば、ＰＳＣスプリット情報判定構成要素３１２は、アクセス・ポイント、または、ノードＢ３０４と同じまたは同じような周波数によって動作する関連セルに関するＰＳＣスプリット情報を取得しうる。ＰＳＣスプリット情報判定構成要素３１２は、例えば、コア・ネットワーク、別のノードＢ、モバイル・デバイス等からＰＳＣスプリット情報を受信しうる。別の例において、ＰＳＣスプリット情報判定構成要素３１２は、設定、仕様、ハードコーディング等に基づいて、ＰＳＣスプリット情報を確立しうる。オーバヘッド・メッセージ生成構成要素３１４は、ＰＳＣスプリット情報を持つ１または複数の生成されたオーバヘッド・メッセージを集めうる。説明するように、マクロ・セル・アクセス・ポイントおよびフェムト・セル・アクセス・ポイントがＰＳＣスプリット情報を送信する場合、オーバヘッド・メッセージ生成構成要素３１４は、（例えば、ＳＩＢ１１ｂｉｓ等のような）低優先度の、低頻度で送信されるオーバヘッド・メッセージ内にＰＳＣスプリット情報を含めうる。フェムト・セル・アクセス・ポイントのみがＰＳＣスプリット情報を提供する場合、オーバヘッド・メッセージ生成構成要素３１４は、高優先度の、高頻度で送信されるオーバヘッド・メッセージ（例えば、ＳＩＢ３等）にＰＳＣスプリット情報を含めうる。ＳＩＢ３が利用される場合、ＳＩＢ３メッセージがセグメント化されうるが、この場合、ＳＩＢ３はノードＢによってより頻繁に送信されうるので、ノードＢがフェムト・セルである場合には問題にはならないことが認識されるべきである。
【００４２】
例において、オーバヘッド・メッセージ生成構成要素３１４は、ネットワーク仕様、ハードコーディング、設定等に少なくとも部分的に基づいて、ＰＳＣスプリット情報を用いて、どのオーバヘッド・メッセージ（単数または複数）を集めるかを判定しうる。別の例において、無線ネットワーク構成要素（および／または別のノードＢ）は、集めるオーバヘッド・メッセージ（単数または複数）（または、関連するパラメータ）を指定し、ノードＢ３０４は、バックホール・リンク、無線アクセス・リンク等によって、これを示すインジケーションを受信しうる。オーバヘッド・メッセージ生成構成要素３１４が、オーバヘッド・メッセージを集めると、説明するように、オーバヘッド・メッセージ送信構成要素３１６は、無線ネットワークで、このオーバヘッド・メッセージを送信しうる。ＰＳＣスプリット情報は、例えば、１または複数のＰＳＣ範囲を含みうる。ここで、開始ＰＳＣは、最初の範囲の初期ＰＳＣ、各範囲におけるＰＳＣの数、および、各ＰＳＣ範囲間のＰＳＣの数に関連する第２のＰＳＣ範囲のためのオプションのオフセットを表す。
【００４３】
オーバヘッド・メッセージ処理構成要素３０６は、ノードＢ３０４によって送信されたオーバヘッド・メッセージを受信し、分析しうる。説明するように、オーバヘッド・メッセージは、一例において、ネットワーク仕様で定義された１または複数のＳＩＢに対応しうる。ＰＳＣスプリット情報受信構成要素２０２は、ＰＳＣスプリット情報を取得するために、オーバヘッド・メッセージのうちの１または複数を復号しうる。ＰＳＣスプリット情報受信構成要素２０２は、仕様、設定、ハードコーディング等に基づいて、どのオーバヘッド・メッセージを復号するのかを判定し、ＰＳＣスプリット情報を受信しうる。既に説明したように、オーバヘッド・メッセージは、例えばＳＩＢ１１ｂｉｓのような低優先度メッセージ、または、例えばＳＩＢ３のような高優先度メッセージでありえる。例えば、マクロ・セル・アクセス・ポイントとフェムト・セル・アクセス・ポイントとの両方が、ＰＳＣスプリット情報をブロードキャストできるようにネットワーク３００が構成されている場合、ＰＳＣスプリット情報受信構成要素２０２は、低優先度のオーバヘッド・メッセージからのＰＳＣスプリット情報を復号しうる。この点に関し、ＵＥ３０２は、ノードＢ３０４にキャンプし、ソース・アクセス・ポイントからＰＳＣスプリと情報を受信しうる。しかしながら、フェムト・セル・アクセス・ポイントのみがＰＳＣスプリット情報を送信するようにネットワーク２００が構成されている場合、ＵＥ３０２は、ＵＥが動作することを許可されていないＣＳＧセルを提供するフェムト・セル・アクセス・ポイントと通信している場合にのみ、ＰＳＣスプリット情報を取得する。
【００４４】
この例において、ＣＳＧ識別子受信構成要素３０８は、さらに、（例えば、ＰＳＣスプリット情報と同じＳＩＢ３メッセージのような）高優先度メッセージで、ノードＢ３０４から、ＣＧＳ識別子、または、ＣＳＧセルのためのその他のアクセス制限パラメータを取得しうる。アクセス判定構成要素３１０は、アクセスがＣＳＧセルにおいて許可されているかを区別しうる。これは、ＣＳＧ識別子に基づくか、または、例えば、ＣＳＧセルにおいてすべてのＵＥが許可されているか、あるいはいくつかのＵＥしか許可されていないかを示すフラグのようなその他のアクセス制限パラメータに基づきうる。一例では、アクセス判定構成要素３１０は、許可されたＣＳＧセルからなるホワイト・リスト（または、許可されていないＣＳＧセルからなるブラック・リスト）におけるＣＳＧ識別子の位置決めを試みうる。ＵＥ３０２は、ホワイト・リストを、ノードＢ３０４、設定、仕様、ハードコーディング等から（例えば、オーバヘッド・メッセージで）受信しうる。ＵＥ３０２がＣＳＧセル内のノードＢ３０４にアクセスするか、あるいは、ホワイト・リストが空ではない場合、ＰＳＣスプリット情報格納構成要素２０４は、ＣＳＧセルを提供するために、ノードＢ３０４によって利用される周波数によるその後の選択／再選択等における探索または利用のために望ましいＰＳＣ範囲として、ＰＳＣスプリット情報を格納しうる。
【００４５】
同様に、例えば、ＵＥが、ＣＳＧセル内のノードＢ３０４にアクセスすることができず、ホワイト・リストが空の場合、ＰＳＣスプリット情報格納構成要素２０４は、ＣＳＧセルを提供するために、ノードＢ３０４によって使用される周波数によるその後の選択／再選択を回避するためのＰＳＣ範囲として、ＰＳＣスプリット情報を格納しうる。この時点において、ＰＳＣスプリット情報が取得され、ＵＥ３０２がアクセス・ノードＢ３０４にアクセスすることが許可されていないと判定されたのであれば、ＵＥ３０２は、再選択のために、その他のセルを評価しうる。これは、ＵＥ３０２における節電となる。なぜなら、ＵＥ３０２は、ノードＢ３０４に関する追加情報を含む追加のオーバヘッド・メッセージを待つ必要がないからである。むしろ、ＵＥ３０２は、ＣＳＧセルにアクセスすることが許可されないと判定した時点において、ＰＳＣスプリット情報を有し、この時点において、ノードＢ３０４との通信を終了する。何れの場合であれ、ＰＳＣスプリット情報受信構成要素２０２は、ＰＳＣスプリット情報にしたがって範囲内のＰＳＣを計算しうる。したがって、例えば、開始ＰＳＣおよびＰＳＣの数が、ＰＳＣスプリット情報で受信された場合、ＰＳＣは、セット｛ｓ，（（ｓ＋１）ｍｏｄ５１２），（（ｓ＋２）ｍｏｄ５１２），・・・，（（ｓ＋ｎ−１）ｍｏｄ５１２）｝として計算されうる。ここでｓは、開始ＰＳＣであり、ｎは、ＰＳＣの数である。ＰＳＣスプリット情報がさらに、範囲２オフセットを含む場合、第２のＰＳＣ範囲のＰＳＣが、同様に、上記セットとして計算されうる。ここで、第２のセットのｓは、（開始ＰＳＣ）＋（ＰＳＣの数−１）＋（範囲２オフセット）となるであろう。
【００４６】
説明するように、セル探索構成要素２０６は、近隣セルを位置決めし、近隣セルを最初に評価する際に、ＰＳＣスプリット情報を利用しうる。したがって、ＰＳＣスプリット情報に近隣セルのＰＳＣがあり、ホワイト・セルが空ではない場合、セル探索構成要素２０６は、選択／再選択またはその他のタスクのために、セルの探索／測定を行いうる。同様に、ＰＳＣがＰＳＣスプリット情報にあり、ホワイト・セルが空である場合、セル探索構成要素２０６は、ＣＳＧ識別子を取得する必要なく、セルを回避しうる。ＰＳＣスプリット情報は、その他の目的のために利用されうることも認識されるべきである。例えば、ＵＥ３０２が、再選択時に、再選択パラメータを、ＰＳＣ範囲内にＰＳＣを有するセルへ適用できるように、ＰＳＣスプリット情報が、再選択パラメータに関連付けられうる。それに加えて、ノードＢ３０４は、ＵＥ３０２へ近隣リストを送信しうる。これは、近隣ノードＢを識別するために処理されうる。一例において、近隣リストは、ノードＢを識別するＰＳＣを備えうる。そして、ＰＳＣスプリット情報格納構成要素２０４は、ＰＳＣスプリット情報に存在しない近隣リスト内にＰＳＣが存在するかを判定しうる。存在する場合、ＰＳＣスプリット情報格納構成要素２０４は、ＰＳＣスプリット情報内にマクロ・セル（または、非ＣＳＧセル）ＰＳＣとして存在しないＰＳＣを、近隣リスト内に格納しうる。
【００４７】
図４乃至図６を参照して、１または複数のセルに関連するＰＳＣスプリット情報を提供することに関連する方法が例示される。説明の簡略化の目的のために、これら方法は一連の動作として図示および説明されているが、これら方法は、１または複数の対応によれば、いくつかの動作が、本明細書で図示および説明されたものとは異なる順序で、および／または、同時に生じうるので、これら動作順序に限定されないことが理解および認識されるべきである。例えば、当業者であれば、これら方法はその代わりに、例えば状態図におけるように、一連の相互関連する状態またはイベントとして表されうることを理解し認識するだろう。さらに、１または複数の態様にしたがって方法を実現するために、必ずしも例示された全ての動作が必要とされる訳ではない。
【００４８】
図４に移って、ＰＳＣスプリット情報を受信することと、その後のセル探索においてこの情報を利用することとを容易にする方法４００の例が例示される。４０２では、ＰＳＣスプリット情報が、オーバヘッド・メッセージで受信されうる。説明するように、これは、ネットワーク構成に少なくとも部分的に基づいて、例えばＳＩＢ１１ｂｉｓまたは同様のメッセージのような低優先度の低頻度で送信されるメッセージ、例えばＳＩＢ３または同様のメッセージのような高優先度の高頻度で送信されるメッセージ、等でありうる。４０４では、ＰＳＣスプリット情報が、１または複数のセルを識別するために利用されうる。例えば、近隣セルを探索する際に、ＰＳＣがセルのパイロットから取得され、ＰＳＣスプリット情報に対してチェックされうる。４０６では、ＰＳＣスプリット情報に基づいてセルが回避または利用されうる。例えば、ホワイト・リストが空の場合、受信したＰＳＣスプリット情報にＰＳＣを有するセルは、選択／再選択目的のために、その後のセル探索の際に回避されうる。同様に、ホワイト・リストが空ではない場合、受信したＰＳＣスプリット情報にＰＳＣを有するセルは、セル探索およびセル選択／再選択の際に利用されうる。
【００４９】
図５を参照して、ＳＩＢ３メッセージでＰＳＣスプリット情報を受信することを容易にする方法５００の例が例示される。５０２では、ＰＳＣスプリット情報が、ターゲット・ノードＢからのＳＩＢ３メッセージで受信されうる。ＳＩＢ３メッセージはその他のＳＩＢメッセージよりも高頻度で送信されうる。これは、ＰＳＣスプリット情報が、ターゲット・ノードＢと通信する際に早期に受信されることを保証しうる。５０４では、ＣＳＧ識別子もＳＩＢ３メッセージで受信されうる。５０６では、ＣＳＧ識別子に基づいて、ターゲット・ノードＢがアクセスされうるかが判定されうる。一例において、説明するように、ＣＳＧ識別子は、キャンプ・オンされうるＣＳＧセルのセットを表すＣＳＧセル識別子のホワイト・リストと比較されうる。５０８では、何れかのＣＳＧセルがアクセスされうるかに基づいて、ＰＳＣスプリット情報にＰＳＣを有するセルが、回避または利用されうる。したがって、例えば、ホワイト・リストが空である場合、ＰＳＣスプリット情報にＰＳＣを有する周波数におけるＣＳＧセルはアクセス不可能であり、回避されうる。ターゲット・ノードＢにアクセスできないので、アクセス可能性に関する情報およびＰＳＣスプリット情報が、ターゲット・ノードＢとの通信の際に早期に取得されうる。これによって、アクセス可能ではないと判定された場合、ＰＳＣスプリット情報を待つ必要なく、ターゲット・ノードＢとの通信が終了しうる。これは、上述したように、ターゲット・ノードＢからのその他の何れかのオーバヘッド・メッセージの不要な読取を回避することによって、バッテリ消費を節約しうる。
【００５０】
図６に移って、ネットワーク構成に基づいて１または複数のデバイスへＰＳＣスプリット情報を提供することを容易にする方法６００の例が図示される。６０２では、ＰＳＣスプリット情報が、１または複数のセルに関連して受信されうる。説明するように、この情報は、１または複数のネットワーク構成要素（例えば、アップストリームおよび／またはダウンストリーム）、仕様、設定、ハードコーディング等から受信されうる。ＰＳＣスプリット情報は、周波数において動作するアクセス・ポイントによって利用されるＰＣＳであるか、および／または、ＰＳＣのブロックが保持され、複数のセルに割り当てられたマルチ・セル構成のような同様のタイプのその他のアクセス・ポイントによって利用されるＰＳＣに関連しうる。６０４では、ネットワーク構成に基づいて、ＰＳＣスプリット情報を送信するためのオーバヘッド・メッセージが選択されうる。例えば、ネットワーク構成は、フェムト・セル・アクセス・ポイントまたはＣＳＧアクセス・ポイントのみがＰＳＣスプリット情報の送信を許可されているか、マクロ・セル・アクセス・ポイントおよびフェムト・セル・アクセス・ポイントも同様にこの情報を送信しうるか等を指定しうる。前者の場合、デバイスは、ターゲット・セルのみから情報を取得するので、ＰＳＣスプリット情報を提供するために、高優先度の高頻度で送信されるメッセージが選択されうる。しかしながら、後者の場合、低優先度の高頻度で送信されるオーバヘッド・メッセージが選択されうる。６０６では、ＰＳＣスプリット情報がオーバヘッド・メッセージで送信されうる。
【００５１】
本明細書に記載された１または複数の態様によれば、ＰＳＣスプリット情報を送信するためのオーバヘッド・メッセージを選択すること、どのオーバヘッド・メッセージがＰＳＣスプリット情報を備えているのかを判定すること等に関して推論がなされうる。本明細書で使用されるように、「推論する」または「推論」なる用語は一般に、イベントおよび／またはデータによって取得されたような観察のセットから、システム、環境、および／または、ユーザの状態の推論あるいはそれらに関する推理のプロセスを称する。推論は、特定のコンテキストまたは動作を特定するために適用されるか、あるいは、例えば状態にわたる確率分布を生成しうる。推論は、確率論的、すなわち、データおよびイベントの考慮に基づいて、該当する状態にわたる確率分布を計算することでありうる。推論はまた、イベントおよび／またはデータのセットから、より高いレベルのイベントを構築するために適用される技術を称することができる。そのような推論によって、イベントが時間的に近接していようといまいと、これらイベントおよびデータが１または幾つかのイベント・ソースおよびデータ・ソースに由来していようと、観察されたイベントおよび／または格納されたイベント・データのセットから、新たなイベントまたは動作を構築することができる。
【００５２】
図７は、ＰＳＣスプリット情報を受信および利用することを容易にするモバイル・デバイス７００の例示である。モバイル・デバイス７００は、受信機７０２を備える。この受信機７０２は、例えば（図示しない）受信アンテナから、１または複数のキャリアを介して１または複数の信号を受信し、受信した信号に対して一般的な動作（フィルタ、増幅、ダウンコンバート等）を実行し、これら調整された信号をデジタル化してサンプルを得る。受信機７０２は、受信したシンボルを復調し、それらをチャネル推定のためにプロセッサ７０６へ提供する復調器７０４を備えうる。プロセッサ７０６は、受信機７０２によって受信された情報を分析すること、および／または、送信機７１６による送信のための情報を生成することに特化されたプロセッサ、モバイル・デバイス７００の１または複数の構成要素を制御するプロセッサ、および／または、受信機７０２によって受信された情報を分析することと、送信機７１６による送信のための情報を生成することと、モバイル・デバイス７００のうちの１または複数の構成要素を制御することとのすべて行うプロセッサでありうる。
【００５３】
モバイル・デバイス７００はそれに加えて、プロセッサ７０６に動作可能に接続されたメモリ７０８を備えうる。このメモリは、送信されるべきデータ、受信したデータ、利用可能なチャネルに関連する情報、分析された信号および／または干渉強度に関連付けられたデータ、割り当てられたチャネルや電力やレート等に関連する情報、チャネルの推定およびチャネルを介した通信のために適切なその他任意の情報を格納しうる。メモリ７０８はさらに、（例えば、パフォーマンス・ベース、キャパシティ・ベース等での）チャネルの推定および／または利用に関連付けられたアルゴリズムおよび／またはプロトコルを格納しうる。
【００５４】
本明細書に記載されたデータ・ストア（例えば、メモリ７０８）は、揮発性メモリであるか、あるいは不揮発性メモリである。あるいは、揮発性メモリと不揮発性メモリとの両方を含みうることが認識されるだろう。限定ではなく例示によって、不揮発性メモリは、読取専用メモリ（ＲＯＭ）、プログラマブルＲＯＭ（ＰＲＯＭ）、電子的プログラマブルＲＯＭ（ＥＰＲＯＭ）、電子的消去可能ＰＲＯＭ（ＥＥＰＲＯＭ）、あるいはフラッシュ・メモリを含みうる。揮発性メモリは、外部キャッシュ・メモリとして動作するランダム・アクセス・メモリ（ＲＡＭ）を含みうる。限定ではなく例示によって、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、およびダイレクト・ラムバスＲＡＭ（ＤＲＲＡＭ）のような多くの形態で利用可能である。主題となるシステムおよび方法のメモリ７０８は、限定される訳ではないが、これらおよびその他任意の適切なタイプのメモリを備えることが意図される。
【００５５】
受信機７０２および／またはプロセッサ７０６はさらに、１または複数のアクセス・ポイントからＰＳＣスプリット情報を取得するＰＳＣスプリット情報受信構成要素７１０に動作可能に接続されうる。説明するように、ＰＳＣスプリット情報は、（例えば、ＳＩＢ３のように高優先度で高頻度で送信されるメッセージや、ＳＩＢ１１ｂｉｓのような低優先度のメッセージのような）ネットワーク構成に依存して、１または複数のオーバヘッド・メッセージで受信されうる。さらに、ＰＳＣスプリット情報受信構成要素７１０は、メモリ７０８に情報を格納しうる。説明するように、ＰＳＣスプリット情報は、ＰＳＣスプリット情報に含まれるＰＳＣを有する１または複数のセルの回避、利用、あるいは探索、選択／再選択等のために使用されうる。
【００５６】
さらに、例えば、モバイル・デバイス７００は、説明するように、近隣のアクセス・ポイントのＰＳＣを備える近隣リストを受信しうる。ＰＳＣスプリット情報受信構成要素７１０は、それに加えて、ＰＳＣスプリット情報におけるＰＳＣを、近隣リストのＰＳＣと比較しうる。ＰＳＣスプリット情報に存在しない近隣リスト内にＰＳＣが存在する場合、ＰＳＣスプリット情報受信構成要素７１０は、マクロ・セル・アクセス・ポイントに関連しているものとして、メモリ７０８内にＰＳＣを格納しうる。プロセッサはまた、ＰＳＣスプリット情報にしたがって、１または複数の近隣セルを評価するセル探索構成要素７１２に接続されうる。一例において、セル選択／再選択手順では、セル探索構成要素７１２が、ＰＳＣスプリット情報内にＰＳＣを有するものを無視する近隣セルを位置決めしうる。ここで、ＰＳＣスプリット情報は、回避するＰＳＣに関連するものとして、メモリ７０８内に格納される。モバイル・デバイス７００はさらに、信号を変調する変調器７１４と、この信号を例えば基地局、別のモバイル・デバイス等へ送信する送信機７１６とを備える。プロセッサ７０６と別に示されているが、ＰＳＣスプリット情報受信構成要素７１０、セル探索構成要素７１２、復調器７０４、および／または、変調器７１４は、プロセッサ７０６または複数のプロセッサ（図示せず）の一部でありうることが認識されるべきである。
【００５７】
図８は、１または複数のモバイル・デバイスにＰＳＣスプリット情報を提供することを容易にするシステム８００の例示である。システム８００は、複数の受信アンテナ８０６を介して、１または複数のモバイル・デバイス８０４から信号（単数または複数）を受信する受信機８１０と、送信アンテナ８０８を介して１または複数のモバイル・デバイス８０４に送信する送信機８２４とを有する、基地局８０２（例えば、アクセス・ポイント）を備える。受信機８１０は、受信アンテナ８０６から情報を受信する。また、受信した信号を復号するデスクランブラと動作可能に関連付けられている。さらに、受信されデスクランブルされた信号を、復調器８１２が復調する。復調されたシンボルは、図７に関連して上述されたプロセッサと類似のプロセッサ８１４によって分析される。プロセッサ８１４は、信号（例えばパイロット）強度および／または干渉強度を推定することに関連する情報、モバイル・デバイス８０４（または（図示しない）別の基地局）へ／から送信される／受信されたデータ、および／または、本明細書に記載されたさまざまな動作および機能を実行することに関連するその他任意の適切な情報を格納するメモリ８１６に結合されている。プロセッサ８１４はさらに、１または複数のセルに関連するＰＳＣスプリット情報を受信するＰＳＣスプリット情報受信構成要素８１８と、１または複数のモバイル・デバイスへ送信するためのオーバヘッド・メッセージを生成するオーバヘッド・メッセージ生成構成要素８２０とに接続される。
【００５８】
例によれば、ＰＳＣスプリット情報受信構成要素８１８は、ネットワーク構成要素、設定、仕様、ハードコーディング等からＰＳＣスプリット情報を受信しうる。オーバヘッド・メッセージ生成構成要素８２０は、前述したように、ネットワーク構成に基づいて、ＰＳＣスプリット情報を１または複数のオーバヘッド・メッセージへ挿入しうる。例えば、フェムト・セル・アクセス・ポイントまたはＣＳＧセルのみがＰＳＣスプリット情報を提供することになっているのであれば、オーバヘッド・メッセージ生成構成要素８２０は、モバイル・デバイス８０４が基地局８０２との通信の際に早期にＰＳＣスプリット情報を受信することを保証するために、例えばＳＩＢ３のように、高優先度の高頻度で送信されるメッセージにＰＳＣスプリット情報を含めうる。この点に関し、モバイル・デバイス８０４は、基地局８０２にアクセスすることが許可されていない場合、例えば、接続が許可されていないと判定されると切断し、ＰＳＣスプリット情報を受信しうる。
【００５９】
マクロ・セル・アクセス・ポイントとフェムト・セル・アクセス・ポイントとの両方が、ＰＳＣスプリット情報を提供できうることをネットワーク構成が示す場合、モバイル・デバイス８０４は、サービス提供基地局、すなわち、ソース基地局から情報を受信しうるので、オーバヘッド・メッセージ生成構成要素３１４は、例えばＳＩＢ１１ｂｉｓのような低優先度のメッセージで情報を受信しうる。さらに、プロセッサ８１４と別に示されているが、復調器８１２、ＰＳＣスプリット情報受信構成要素８１８、オーバヘッド・メッセージ生成構成要素８２０、および／または、変調器８２２は、プロセッサ８１４または複数のプロセッサ（図示せず）のうちの一部でありうることが認識されるべきである。
【００６０】
図９を参照して、１または複数のセルに関連するＰＳＣスプリット情報を受信し利用するシステム９００が例示されている。例えば、システム９００は、基地局、モバイル・デバイス等の中に少なくとも部分的に存在しうる。システム９００は、プロセッサ、ソフトウェア、またはそれらの組み合わせ（例えば、ファームウェア）によって実現される機能を表す機能ブロックでありうる機能ブロックを含むものとして示されることが認識されるべきである。システム９００は、連携して動作しうる電子構成要素の論理グループ９０２を含む。例えば、論理グループ９０２は、１または複数のセルに関連するＰＳＣスプリット情報を備えるオーバヘッド・メッセージを受信するための電子構成要素９０４を含みうる。例えば、記載されているように、ＰＳＣスプリット情報は、例えばＳＩＢ３メッセージのように、セル選択／再選択に関連するパラメータを含む、高優先度で頻繁に送信されたオーバヘッド・メッセージで受信されうる。別の例において、ＰＳＣスプリット情報は、例えばＳＩＢ１１ｂｉｓメッセージのように、低優先度で高頻度で送信されたオーバヘッド・メッセージで受信されうる。さらに、論理グループ９０２は、オーバヘッド・メッセージからＰＳＣスプリット情報を判定するための電子構成要素９０６を備えうる。説明するように、ＰＳＣスプリット情報は、（例えば、このメッセージにおける明示的な表示によって、または、１または複数の別のメッセージからの明示的な表示によって、ネットワーク構成を判定することに基づく推論等によって、）情報を備えるメッセージを判定することによって、オーバヘッド・メッセージから抽出されうる。
【００６１】
さらに、論理グループ９０２は、その後のセル探索の利用または回避を行うセルを示すために、ＰＳＣスプリット情報を格納するための電子構成要素９０８を含みうる。この目的のために、論理グループ９０２はまた、オーバヘッド・メッセージでＣＳＧ識別子を取得するための電子構成要素９１０と、ＣＳＧ識別子がＣＳＧセルのホワイト・リストに存在するかに少なくとも部分的に基づいて、ノードＢにアクセスが許可されているかを判定するための電子構成要素９１２とを含みうる。さらに、システム９００は、電子構成要素９０４、９０６、９０８、９１０、９１２に関連付けられた機能を実行するための命令群を保持するメモリ９１４を含みうる。メモリ９１４の外側にあるとして示されているが、電子構成要素９０４、９０６、９０８、９１０、９１２のうちの１または複数は、メモリ９１４内に存在しうることが理解されるべきである。
【００６２】
図１０を参照して、ＰＳＣスプリット情報を無線デバイスへ提供するためのシステム１０００が例示されている。例えば、システム１０００は、無線ネットワーク構成要素内に少なくとも部分的に存在しうる。システム１０００は、プロセッサ、ソフトウェア、またはそれらの組み合わせ（例えば、ファームウェア）によって実現される機能を表す機能ブロックでありうる機能ブロックを含むものとして示されることが認識されるべきである。システム１０００は、連携して動作しうる電子構成要素の論理グループ１００２を含む。例えば、論理グループ１００２は、同じような周波数で動作する１または複数のセルに関連するＰＳＣスプリット情報を受信するための電子構成要素１００４を含みうる。説明するように、ＰＳＣスプリット情報は、１または複数のネットワーク・デバイス、仕様、設定、ハードコーディング等から取得されうる。さらに、論理グループ１００２は、ネットワーク構成に少なくとも部分的に基づいて、ＰＳＣスプリット情報を含めるオーバヘッド・メッセージを選択するための電子構成要素１００６を備えうる。説明するように、フェムト・セル・アクセス・ポイントのみがＰＳＣスプリット情報を提供することをネットワーク構成が示す場合、電子構成要素１００６は、ＰＳＣスプリット情報を含めるために、例えばＳＩＢ３のように、高優先度の頻繁に送信されるオーバヘッド・メッセージを選択しうる。
【００６３】
説明するように、別の例において、マクロ・セルとフェムト・セルとが同様にＰＳＣスプリット情報を送信することをネットワーク構成が示す場合、（例えば、デバイスが、ソース・アクセス・ポイントからＰＳＣスプリット情報を受信しうるので、）電子構成要素１００６は、ＰＳＣスプリット情報を無線デバイスへ提供するために、例えばＳＩＢ１１ｂｉｓのような低優先度のオーバヘッド・メッセージを選択しうる。さらに、論理グループ１００２は、ＰＳＣスプリット情報を備えるオーバヘッド・メッセージを１または複数の無線デバイスへ提供するための電子構成要素１００８を含みうる。さらに、システム１０００は、電子構成要素１００４、１００６、１００８に関連付けられた機能を実行するための命令群を保持するメモリ１０１０を含みうる。メモリ１０１０の外側にあると示されているが、電子構成要素１００４、１００６、１００８のうちの１または複数は、メモリ１０１０内に存在しうることが理解されるべきである。
【００６４】
本明細書に記載された態様は、ハードウェア、ソフトウェア、ファームウェア、ミドルウェア、マイクロコード、あるいはそれらの任意の組み合わせによって実現されうることが理解されるべきである。ハードウェアで実現する場合、処理ユニットは、１または複数の特定用途向けＩＣ（ＡＳＩＣ）、デジタル信号プロセッサ（ＤＳＰ）、デジタル信号処理デバイス（ＤＳＰＤ）、プログラム可能論理回路（ＰＬＤ）、フィールドプログラム可能ゲート・アレイ（ＦＰＧＡ）、プロセッサ、コントローラ、マイクロ・コントローラ、マイクロ・プロセッサ、本明細書に記載の機能を実行するために設計されたその他の電子ユニット、あるいはこれらの組み合わせ内に実装されうる。
【００６５】
これら態様が、ソフトウェア、ファームウェア、ミドルウェアまたはマイクロコード、プログラム・コードまたはコード・セグメントにおいて実現される場合、これらは、たとえばストレージ構成要素のような機械読取可能媒体内に格納されうる。コード・セグメントは、手順、機能、サブプログラム、プログラム、ルーチン、サブルーチン、モジュール、ソフトウェア・パッケージ、クラス、または、命令、データ構造、あるいはプログラム文からなる任意の組み合わせを表すことができる。コード・セグメントは、情報、データ、引数、パラメータ、あるいは記憶内容の引渡および／または受信を行うことによって、他のコード・セグメントまたはハードウェア回路に接続されうる。情報、引数、パラメータ、データなどは、メモリ共有、メッセージ引渡し、トークン引渡、ネットワーク送信などを含む任意の適切な手段を用いて引渡、転送、あるいは送信されうる。
【００６６】
ソフトウェアで実現する場合、本明細書に記載のこれら技術は、本明細書に記載の機能を実行するモジュール（例えば、手続き、機能等）を用いて実現されうる。ソフトウェア・コードは、メモリ・ユニット内に格納され、プロセッサによって実行されうる。メモリ・ユニットは、プロセッサ内部またはプロセッサ外部に実装されうる。プロセッサ外部に実装される場合、メモリ・ユニットは、当該技術分野で周知のさまざまな手段によってプロセッサと通信可能に接続されうる。
【００６７】
いくつかの態様では、本明細書に記載された技術は、マクロ・スケールの有効通信範囲（例えば、一般にマクロ・セル・ネットワークと称される３Ｇネットワークのような大規模なセルラ・ネットワーク）およびより小規模な有効通信範囲（例えば、住宅ベースまたはビルディング・ベースのネットワーク環境）を含むネットワーク内に適用されうる。アクセス端末（ＡＴ）は、このようなネットワーク内を移動すると、ある場所においては、マクロ有効通信範囲を提供するアクセス・ノード（ＡＮ）によってサービス提供される一方、別の場所においては、より小規模な有効通信範囲を提供するアクセス・ノードによってサービス提供されうる。いくつかの態様では、増大する容量成長、ビルディング内有効通信範囲、および（例えば、よりロバストなユーザ経験のための）その他のサービスを提供するために、小規模な有効通信範囲ノードが使用されうる。本明細書における説明では、比較的大きなエリアにわたって有効通信範囲を提供するノードは、マクロ・ノードと称されうる。（例えば、住宅のように）比較的小さなエリアにわたって有効通信範囲を提供するノードは、フェムト・ノードと称されうる。マクロ・エリアよりも小さく、フェムト・エリアよりも大きなエリアにわたって有効通信範囲を提供するノードは、（例えば、商業ビルディング内に有効通信範囲を提供する）ピコ・ノードと称されうる。
【００６８】
マクロ・ノード、フェムト・ノードあるいはピコ・ノードに関連付けられたセルは、マクロ・セル、フェムト・セル、あるいはピコ・セルとそれぞれ称される。いくつかの実施例では、おのおののセルがさらに、１または複数のセクタに関連付けられる（分割される）。
【００６９】
さまざまなアプリケーションでは、マクロ・ノード、フェムト・ノード、あるいはピコ・ノードを称して、その他の用語が使用されうる。例えば、マクロ・ノードは、アクセス・ノード、基地局、アクセス・ポイント、ｅノードＢ、マクロ・セル等として設定または称されうる。また、フェムト・ノードは、ホーム・ノードＢ、ホームｅノードＢ、アクセス・ポイント基地局、フェムト・セル等として設定または称されうる。
【００７０】
図１１は、多くのユーザをサポートするように構成され、本明細書に記載された教示が実施される無線通信システム１１００を例示する。システム１１００は、例えばマクロ・セル１１０２Ａ−１１０２Ｇのように、おのおのが、対応するアクセス・ノード１１０４（例えば、アクセス・ノード１１０４Ａ−１１０４Ｇ）によってサービス提供される複数のセル１１０２のための通信を提供しうる。図１１に示すように、アクセス端末１１０６（例えばアクセス端末１１０６Ａ−１１０６Ｌ）は、時間にわたり、システムの全体にわたるさまざまな場所に分布しうる。アクセス端末１１０６はおのおのの、例えば、アクセス端末１１０６がアクティブであるか、および、ソフト・ハンドオフにあるかに依存して、所与の時間において、順方向リンク（ＦＬ）および／または逆方向リンク（ＲＬ）で、１または複数のアクセス・ノード１１０４と通信しうる。無線通信システム１１００は、大規模な地理的領域にわたってサービスを提供しうる。例えば、マクロ・セル１１０２Ａ−１１０２Ｇは、近隣の数ブロックをカバーしうる。
【００７１】
図１２は、１または複数のフェムト・ノードがネットワーク環境内で展開されている典型的な通信システム１２００を例示する。具体的には、このシステム１２００は、（例えば、１または複数のユーザ住宅１２３０のような）比較的小規模なネットワーク環境において搭載された複数のフェムト・ノード１２１０（例えば、フェムト・ノード１２１０Ａ、１２１０Ｂ）を含む。おのおののフェムト・ノード１２１０は、ＤＳＬルータ、ケーブル・モデム、無線リンク、あるいは（図示しない）その他の接続手段を介して、広域ネットワーク１２４０（例えば、インターネット）およびモバイル・オペレータ・コア・ネットワーク１２５０へ接続されうる。以下に説明するように、おのおののフェムト・ノード１２１０は、関連付けられたアクセス端末１２２０（例えば、アクセス端末１２２０Ａ）、オプションとして、外部アクセス端末１２２０（例えば、アクセス端末１２２０Ｂ）にサービス提供するように構成されうる。言い換えれば、所与のアクセス端末１２２０は、フェムト・ノード１２１０へのアクセスが制限され、これによって、指定された（例えば、ホーム）フェムト・ノード（単数または複数）１２１０のセットによってサービス提供されうるが、指定されていないフェムト・ノード１２１０（例えば、近隣のフェムト・ノード１２１０）によってはサービス提供されないようになる。
【００７２】
図１３は、おのおのがいくつかのマクロ有効通信範囲エリア１３０４を含むいくつかのトラッキング・エリア１３０２（または、ルーティング・エリアまたは位置エリア）が定義されている有効通信範囲マップ１３００の例を示す。ここでは、トラッキング・エリア１３０２Ａ、１３０２Ｂ、１３０２Ｃに関連付けられた有効通信範囲のエリアが、太線によって線引きされ、マクロ有効通信範囲エリア１３０４が六角形によって示されている。トラッキング・エリア１３０２は、フェムト有効通信範囲エリア１３０６をも含んでいる。この例において、フェムト有効通信範囲エリア１３０６（例えばフェムト有効通信範囲エリア１３０６Ｃ）のおのおのは、マクロ有効通信範囲エリア１３０４（例えば、マクロ有効通信範囲エリア１３０４Ｂ）内に図示されている。しかしながら、フェムト有効通信範囲エリア１３０６は、マクロ有効通信範囲エリア１３０４内にその全体が位置していなくても良いことが認識されるべきである。実際、所与のトラッキング・エリア１３０２またはマクロ有効通信範囲エリア１３０４を用いて、極めて多くのフェムト有効通信範囲エリア１３０６が定義される。さらに、１または複数のピコ有効通信範囲エリア（図示せず）が、所与のトラッキング・エリア１３０２あるいはマクロ有効通信範囲エリア１３０４内で定義されうる。
【００７３】
図１２に再び示すように、フェムト・ノード１２１０の所有者は、モバイル・オペレータ・コア・ネットワーク１２５０によって提供される例えば３Ｇモバイル・サービスのようなモバイル・サービスに加入しうる。それに加えて、アクセス端末１２２０は、マクロ環境と、（例えば、住宅のような）小規模スケールのネットワーク環境との両方において動作可能でありうる。言い換えれば、アクセス端末１２２０は、アクセス端末１２２０の現在位置に依存して、マクロ・セル・モバイル・ネットワーク１２５０のアクセス・ノード１２６０によって、あるいは、（例えば、対応するユーザ住宅１２３０内に存在するフェムト・ノード１２１０Ａ、１２１０Ｂのような）フェムト・ノード１２１０のセットのうちの何れか１つによって、サービス提供されうる。例えば、加入者が、自宅の外にいる場合、標準的なマクロ・アクセス・ノード（例えば、ノード１２６０）によってサービス提供され、加入者が、自宅にいる場合、フェムト・ノード（例えば、ノード１２１０Ａ）によってサービス提供される。ここでは、フェムト・ノード１２１０は、既存のアクセス端末１２２０と下位互換性を持ちうることが認識されるべきである。
【００７４】
フェムト・ノード１２１０は、単一の周波数で、代替例では、複数の周波数で展開されうる。特定の構成に依存して、単一の周波数、または、複数の周波数のうちの１または複数が、（例えば、ノード１２６０のような）マクロ・ノードによって使用される１または複数の周波数とオーバラップしうる。
【００７５】
いくつかの態様では、アクセス端末１２２０は、このような接続が可能な場合には常に、好適なフェムト・ノード（例えば、アクセス端末１２２０のホーム・フェムト・ノード）に接続するように構成されうる。例えば、アクセス端末１２２０が、ユーザの住宅１２３０内にある場合には常に、アクセス端末１２２０がホーム・フェムト・ノード１２１０とのみ通信することが望まれうる。
【００７６】
いくつかの態様では、アクセス端末１２２０がマクロ・セルラ・ネットワーク１２５０内で動作するが、（例えば、好適なローミング・リストで定義されたような）最も好適なネットワークに存在しない場合、アクセス端末１２２０は、より良好なシステムが現在利用可能であるかを判定するために、利用可能なシステムの定期的なスキャンと、好適なシステムと関連付けるためのその後の努力とを含むベター・システム再選択（ＢＳＲ：Better System Reselection）を使用して、最も好適なネットワーク（例えば、好適なフェムト・ノード１２１０）を探索し続けうる。アクセス端末１２２０は、獲得エントリを用いて、具体的な帯域およびチャネルを求める探索を制限しうる。例えば、最も好適なシステムの探索は、定期的に反復されうる。アクセス端末１２２０は、好適なフェムト・ノード１２１０を発見すると、有効通信範囲エリア内でキャンプするためのフェムト・ノード１２１０を選択する。
【００７７】
フェムト・ノードは、いくつかの態様において、制限されうる。例えば、所与のフェムト・ノードは、一定のアクセス端末に対して一定のサービスしか提供しない。いわゆる制限された（すなわち、クローズされた）関連性を持つ構成では、所与のアクセス端末は、マクロ・セル・モバイル・ネットワーク、および、（例えば、対応するユーザの住宅１２３０内に存在するフェムト・ノード１２１０のように）定義されたフェムト・ノードのセットによってのみサービス提供されうる。いくつかの実施では、ノードは、少なくとも１つのノードのために、シグナリング、データ・アクセス、登録、ページング、またはサービスのうちの少なくとも１つを提供しないように制限されうる。
【００７８】
いくつかの態様では、（クローズされた加入者グループ・ホーム・ノードＢとも称されうる）制限されたフェムト・ノードは、アクセス端末の、制限され提供されたセットにサービスを提供するものである。必要な場合、このセットは、一時的または永久的に拡張されうる。いくつかの態様では、クローズされた加入者グループ（ＣＳＧ）は、アクセス端末の共通のアクセス制御リストを共有するアクセス・ノード（例えば、フェムト・ノード）のセットとして定義されうる。領域内のすべてのフェムト・ノード（または制限されたすべてのフェムト・ノード）が動作するチャネルは、フェムト・チャネルと称されうる。
【００７９】
所与のフェムト・ノードと、所与のアクセス端末との間に、さまざまな関係が存在しうる。例えば、アクセス端末の観点から、オープンなフェムト・ノードは、制限された関連付けを持たないフェムト・ノードと称されうる。制限されたフェムト・ノードは、（例えば、関連付けおよび／または登録について制限されたような）ある方式で制限されたフェムト・ノードと称されうる。ホーム・フェムト・ノードは、アクセス端末がアクセスし動作することが許可されたフェムト・ノードを称しうる。ゲスト・フェムト・ノードは、アクセス端末がアクセスし動作することが一時的に許可されたフェムト・ノードを称しうる。外部フェムト・ノードは、恐らく緊急事態（例えば、９１１コール）を除いて、アクセス端末がアクセスし動作することが許可されないフェムト・ノードを称しうる。
【００８０】
制限されたフェムト・ノードの観点から、ホーム・アクセス端末は、制限されたフェムト・ノードにアクセスすることが許可されたアクセス端末を称しうる。ゲスト・アクセス端末は、制限されたフェムト・ノードへの一時的なアクセスを持つアクセス端末を称しうる。外部アクセス端末は、恐らくは、例えば９１１コールのような緊急事態を除いて、制限されたフェムト・ノードへのアクセスする許可を持たないアクセス端末（例えば、制限されたフェムト・ノードに登録する証明書または許可を持たないアクセス端末）を称しうる。
【００８１】
便宜上、本開示は、フェムト・ノードのコンテキストで、さまざまな機能を説明している。しかしながら、ピコ・ノードは、大規模な有効通信範囲エリアのために、同じまたは同様の機能を提供しうることが認識されるべきである。例えば、ピコ・ノードは、制限されておらず、ホーム・ピコ・ノードは、所与のアクセス端末のために定義される等である。
【００８２】
無線多元接続通信システムは、複数の無線アクセス端末のための通信を同時にサポートすることができる。前述したように、おのおのの端末は、順方向リンクおよび逆方向リンクによる送信を介して１または複数の基地局と通信することができる。順方向リンク（すなわちダウンリンク）は、基地局から端末への通信リンクを称し、逆方向リンク（すなわちアップリンク）は、端末から基地局への通信リンクを称する。この通信リンクは、単一入力単一出力システム、複数入力複数出力（ＭＩＭＯ）システム、あるいはその他のタイプのシステムによって確立されうる。
【００８３】
ＭＩＭＯシステムは、データ送信のために、複数（ＮＴ個）の送信アンテナと、複数（ＮＲ個）の受信アンテナとを使用する。ＮＴ個の送信アンテナおよびＮＲ個の受信アンテナによって形成されるＭＩＭＯチャネルは、空間チャネルとも称されるＮＳ個の独立チャネルへ分解されうる。ここで、ＮＳ≦ｍｉｎ｛ＮＴ，ＮＲ｝である。ＮＳ個の独立チャネルのおのおのは、ディメンションに相当する。ＭＩＭＯシステムは、複数の送信アンテナおよび受信アンテナによって形成された追加のディメンションが利用される場合、向上された性能（例えば、より高いスループット、および／または、より高い信頼性）を与えることができる。
【００８４】
ＭＩＭＯシステムは、時分割デュプレクス（ＴＤＤ）および周波数分割デュプレクス（ＦＤＤ）をサポートしうる。ＴＤＤシステムでは、相互原理によって、逆方向リンク・チャネルから順方向リンク・チャネルを推定できるように、順方向リンク送信および逆方向リンク送信が、同じ周波数領域にある。これによって、アクセス・ポイントは、アクセス・ポイントにおいて複数のアンテナが利用可能である場合、順方向リンクで、ビームフォーミング利得を送信できるようになる。
【００８５】
本明細書における教示は、少なくとも１つの他のノードと通信するためにさまざまな構成要素を適用するノード（例えば、デバイス）へ組み込まれうる。図１４は、ノード間の通信を容易にするために適用されうるいくつかのサンプル構成要素を図示する。特に、図１４は、ＭＩＭＯシステム１４００の無線デバイス１４１０（例えば、アクセス・ポイント）と無線デバイス１４５０（例えば、アクセス端末）とを例示する。デバイス１４１０では、多くのデータ・ストリームのトラフィック・データが、データ・ソース１４１２から送信（ＴＸ）データ・プロセッサ１４１４へ提供される。
【００８６】
いくつかの態様では、各データ・ストリームが、それぞれの送信アンテナを介して送信される。ＴＸデータ・プロセッサ１４１４は、トラフィック・データ・ストリームをフォーマットし、このデータ・ストリームのために選択された特定の符合化スキームに基づいて符号化し、インタリーブして、符合化されたデータを提供する。
【００８７】
おのおののデータ・ストリームの符合化されたデータは、ＯＦＤＭ技術を用いてパイロット・データと多重化されうる。パイロット・データは一般に、既知の方法で処理される既知のデータ・パターンであり、チャネル応答を推定するために受信機システムにおいて使用されうる。おのおののデータ・ストリームについて多重化されたパイロットおよび符号化されたデータは、データ・ストリームのために選択された特定の変調スキーム（例えば、ＢＰＳＫ、ＱＰＳＫ、Ｍ−ＰＳＫ、あるいはＭ−ＱＡＭ等）に基づいて変調（例えば、シンボル・マップ）され、変調シンボルが提供される。おのおののデータ・ストリームのデータ・レート、符号化、および変調は、プロセッサ１４３０によって実行される命令群によって決定される。データ・メモリ１４３２は、デバイス１４１０のプロセッサ１４３０またはその他の構成要素によって使用されるプログラム・コード、データ、およびその他の情報を格納しうる。
【００８８】
すべてのデータ・ストリームの変調シンボルは、（例えば、ＯＦＤＭのために）変調シンボルをさらに処理するＴＸ  ＭＩＭＯプロセッサ１４２０に提供される。その後、ＴＸ  ＭＩＭＯプロセッサ１４２０は、ＮＴ個のトランシーバ（ＸＣＶＲ）１４２２Ａ乃至１４２２Ｔへ、ＮＴ個の変調シンボル・ストリームを提供する。いくつかの態様では、ＴＸ  ＭＩＭＯプロセッサ１４２０は、データ・ストリームのシンボルへ、および、このシンボルの送信がなされるアンテナへビームフォーミング重みを適用する。
【００８９】
各トランシーバ１４２２は、それぞれのシンボル・ストリームを受信し、処理することによって、１または複数のアナログ信号を提供し、さらに、これらアナログ信号を調整（例えば、増幅、フィルタ、およびアップコンバート）することにより、ＭＩＭＯチャネルによる送信に適切な変調信号が提供される。トランシーバ１４２２Ａ乃至１４２２ＴからのＮＴ個の変調信号は、その後、ＮＴ個のアンテナ１４２４Ａ乃至１４２４Ｔからそれぞれ送信される。
【００９０】
デバイス１４５０では、送信された変調信号が、ＮＲ個のアンテナ１４５２Ａ乃至１４５２Ｒによって受信され、各アンテナ１４５２から受信された信号が、それぞれのトランシーバ（ＸＣＶＲ）１４５４Ａ乃至１４５４Ｒへ提供される。各トランシーバ１４５４は、受信したそれぞれの信号を調整（例えば、フィルタ、増幅、およびダウンコンバート）し、調整された信号をデジタル化してサンプルを取得し、これらサンプルをさらに処理することにより、対応する「受信された」シンボル・ストリームが提供される。
【００９１】
その後、受信（ＲＸ）データ・プロセッサ１４６０は、ＮＲ個のシンボル・ストリームをＮＲ個のトランシーバ１４５４から受信し、受信したこれらシンボル・ストリームを、特定の受信機処理技術に基づいて処理することによって、ＮＴ個の「検出された」シンボル・ストリームが提供される。ＲＸデータ・プロセッサ１４６０は、その後、検出されたおのおののシンボル・ストリームを復調し、デインタリーブし、復号して、そのデータ・ストリームのためのトラフィック・データを復元する。ＲＸデータ・プロセッサ１４６０による処理は、デバイス１４１０におけるＴＸデータ・プロセッサ１４１４およびＴＸ  ＭＩＭＯプロセッサ１４２０によって実行されるものに対して相補的である。
【００９２】
プロセッサ１４７０は、上述したように、どの事前符合化行列を使用するのかを定期的に決定する。プロセッサ１４７０は、行列インデクス部およびランク値部を備えた逆方向リンク・メッセージを規定することができる。データ・メモリ１４７２は、デバイス１４５０のプロセッサ１４７０またはその他の構成要素によって使用されるプログラム・コード、データ、およびその他の情報を格納しうる。
【００９３】
逆方向リンク・メッセージは、通信リンクおよび／または受信されたデータ・ストリームに関するさまざまなタイプの情報を備えうる。その後、逆方向リンク・メッセージが、多くのデータ・ストリームのトラフィック・データをデータ・ソース１４３６から受け取るＴＸデータ・プロセッサ１４３８によって処理され、変調器１４２０によって変調され、トランシーバ１４５４Ａ乃至１４５４Ｒによって調整され、デバイス１４１０へ送り戻される。
【００９４】
デバイス１４１０では、デバイス１４５０からの変調信号が、アンテナ１４２４によって受信され、トランシーバ１４２２によって調整され、復調器（ＤＥＭＯＤ）１４４０によって復調され、ＲＸデータ・プロセッサ１４４２によって処理されることにより、デバイス１４５０によって送信された逆方向リンク・メッセージが抽出される。その後、プロセッサ１４３０が、ビームフォーミング重みを決定するためにどの事前符号化行列を使用するのかを決定し、抽出されたメッセージを処理する。
【００９５】
図１４はまた、本明細書で教示されたような干渉制御動作を実行する１または複数の構成要素を含みうる通信構成要素を例示する。例えば、干渉（ＩＮＴＥＲ）制御構成要素１４９０は、本明細書で教示されたように、プロセッサ１４３０、および／または、デバイス１４１０のその他の構成要素と協調し、（例えば、デバイス１４５０のような）他のデバイスとの間で信号を送信／受信する。同様に、干渉制御構成要素１４９２は、プロセッサ１４７０、および／または、デバイス１４５０のその他の構成要素と協調し、（例えば、デバイス１４１０のような）他のデバイスとの間で信号を送信／受信する。デバイス１４１０、１４５０のおのおのについて、記載された構成要素のうちの複数の機能は、単一の構成要素によって提供されうることが認識されるべきである。例えば、単一の処理構成要素が、干渉制御構成要素１４９０およびプロセッサ１４３０の機能を提供し、単一の処理構成要素が、干渉制御構成要素１４９２およびプロセッサ１４７０の機能を提供しうる。
【００９６】
本明細書で開示された実施形態に関連して記述されたさまざまな例示的なロジック、論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサとしてマイクロ・プロセッサを用いることが可能であるが、代わりに、従来技術によるプロセッサ、コントローラ、マイクロ・コントローラ、あるいは順序回路を用いることも可能である。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成である計算デバイスの組み合わせとして実現することも可能である。それに加えて、少なくとも１つのプロセッサは、上述したステップおよび／または動作のうちの１または複数を実行するように動作可能な１または複数のモジュールを備えうる。
【００９７】
さらに、本明細書に開示された態様に関連して記載された方法またはアルゴリズムからなるステップおよび／または動作は、ハードウェア内に直接的に組み込まれるか、プロセッサによって実行されるソフトウェア・モジュールによって組み込まれるか、これら２つの組み合わせに組み込まれうる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは、当該技術で周知のその他任意の形態の記憶媒体内に存在しうる。典型的な記憶媒体は、プロセッサに結合されており、これによって、プロセッサは、記憶媒体との間で情報を読み書きできるようになる。あるいは、この記憶媒体は、プロセッサに統合されうる。さらに、ある態様では、プロセッサと記憶媒体が、ＡＳＩＣ内に存在しうる。さらに、ＡＳＩＣは、ユーザ端末に存在することができる。あるいはプロセッサと記憶媒体とは、ユーザ端末内のディスクリート部品として存在することができる。さらに、いくつかの態様では、方法またはアルゴリズムのステップおよび／または動作は、機械読取可能媒体および／またはコンピュータ読取可能媒体上の１または任意の組み合わせ、または、コードおよび／または命令群のセットとして存在する。これらは、コンピュータ・プログラム製品に組み込まれうる。
【００９８】
１または複数の態様では、説明された機能が、ハードウェア、ソフトウェア、ファームウェア、またはこれらの任意の組み合わせで実現されうる。ソフトウェアで実現される場合、これら機能はコンピュータ読取可能媒体に格納されうるか、あるいは、コンピュータ読取可能媒体上の１または複数の命令群またはコードとして送信されうる。コンピュータ読取可能媒体は、コンピュータ記憶媒体と通信媒体との両方を含む。これらは、コンピュータ・プログラムのある場所から別の場所への転送を容易にする任意の媒体を含む。記憶媒体は、コンピュータによってアクセスされる利用可能な任意の媒体でありうる。例として、限定することなく、このようなコンピュータ読取可能媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。さらに、いかなる接続も、コンピュータ読取可能媒体と適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるｄｉｓｋおよびｄｉｓｃは、コンパクト・ディスク（ｄｉｓｃ）（ＣＤ）、レーザ・ディスク（ｄｉｓｃ）、光ディスク（ｄｉｓｃ）、デジタル多目的ディスク（ｄｉｓｃ）（ＤＶＤ）、フロッピー（登録商標）ディスク（ｄｉｓｋ）、およびブルーレイ・ディスク（ｄｉｓｃ）を含む。通常、ｄｉｓｋは、データを磁気的に再生し、ｄｉｓｃは、レーザを用いて光学的にデータを再生する。上記の組み合わせもまた、コンピュータ読取可能媒体の範囲内に含まれるべきである。
【００９９】
前述した開示は、例示的な態様および／または実施形態を開示しているが、さまざまな変更および修正が、特許請求の範囲で定義されたような説明された態様および／または実施形態の範囲から逸脱することなくなされうることが注目されるべきである。さらに、説明された態様および／または実施形態の構成要素は、単数形で記載または特許請求されているが、もしも単数であると明示的に述べられていないのであれば、複数が考慮される。さらに、任意の態様および／または実施形態のすべてまたは一部は、特に述べられていないのであれば、その他任意の態様および／または実施形態のすべてまたは一部とともに利用されうる。さらにまた、用語「含む」が、詳細説明あるいは特許請求の範囲のうちの何れかで使用されている限り、その用語は、用語「備える」が、請求項における遷移語として適用される場合に解釈される用語「備える」と同様に、包括的であることが意図される。さらに、記載された態様の要素および／または態様は、単数形で記載または権利主張されているが、単数に対する限定が明確に述べられていないのであれば、複数が考慮される。さらに、任意の態様および／または実施形態のすべてまたは一部は、特に述べられていないのであれば、その他任意の態様および／または実施形態のすべてまたは一部とともに利用されうる。
【図１】
0005529149.tif 000002
【図２】
0005529149.tif 000003
【図３】
0005529149.tif 000004
【図４】
0005529149.tif 000005
【図５】
0005529149.tif 000006
【図６】
0005529149.tif 000007
【図７】
0005529149.tif 000008
【図８】
0005529149.tif 000009
【図９】
0005529149.tif 000010
【図１０】
0005529149.tif 000011
【図１１】
0005529149.tif 000012
【図１２】
0005529149.tif 000013
【図１３】
0005529149.tif 000014
【図１４】
0005529149.tif 000015